(57)【要約】      （修正有）【課題】デュアルコネクティビティのシナリオでの接続変更方法を提供する。【解決手段】ＵＥ１０３により、第１の基地局と通信する第１のＭＣＧベアラを設定し、第２の基地局と通信する第１のＭＣＧベアラを設定する。第１のＭＣＧベアラの第１のＰＤＣＰ ＳＤＵに関連する第１のセキュリティキー、第１のＴＸ＿ＨＦＮ及び第１のＰＤＣＰ ＳＮを用いることにより、第１のＰＤＣＰ ＳＤＵを暗号化し第１の暗号化ＰＤＣＰ ＳＤＵを発生させ送信し、第２の暗号化ＰＤＣＰ ＳＤＵを発生させ送信する。ＳＣＧベアラを第２のＭＣＧ又はスプリットベアラとなるように再設定する第３のベアラコンフィギュレーションを受信し、ＳＣＧベアラを第２のＭＣＧベアラ又はスプリットベアラに再設定した後に、ＳＣＧベアラの第３のＰＤＣＰ ＳＤＵを暗号化することにより第３の暗号化ＰＤＣＰ ＳＤＵを発生させ送信する。【選択図】図７
2015177548.tif 000002
【特許請求の範囲】
【請求項１】
第１の基地局及び第２の基地局にデュアル接続しうるユーザ機器（ＵＥ）に適用しうる接続変更方法であって、この接続変更方法が、
第１の基地局と通信する第１のマスタセルグループ（ＭＣＧ）ベアラを設定する第１のベアラコンフィギュレーションをこの第１の基地局から受信するステップと、
この第１のベアラコンフィギュレーションに応じて第１の無線ベアラを第１のＭＣＧベアラとして設定するステップと、
第２の基地局と通信する第２のセルグループ（ＳＣＧ）ベアラを設定する第２のベアラコンフィギュレーションを第１の基地局から受信するステップと、
第２のベアラコンフィギュレーションに応じて第２の無線ベアラをＳＣＧベアラとして設定するステップと、
第１の暗号化パケットデータコンバーゼンスプロトコル（ＰＤＣＰ）サービスデータユニット（ＳＤＵ）を、第１の無線ベアラの第１のＰＤＣＰ ＳＤＵに関連する第１のセキュリティキー、第１の送信器ハイパーフレームナンバ（ＴＸ＿ＨＦＮ）及び第１のＰＤＣＮシーケンスナンバ（ＳＮ）を用いることによりこの第１のＰＤＣＰ ＳＤＵを暗号化することにより発生させるステップと、
第１の暗号化ＰＤＣＰ ＳＤＵを第１の基地局に送信するステップと、
第２の無線ベアラの第２のＰＤＣＰ ＳＤＵに関連する第２のセキュリティキー、第２のＴＸ＿ＨＦＮ及び第２のＰＤＣＰ ＳＮを用いることにより第２のＰＤＣＰ ＳＤＵを暗号化することにより、第２の暗号化ＰＤＣＰ ＳＤＵを発生させるステップと、
第２の暗号化ＰＤＣＰ ＳＤＵを第２の基地局に送信するステップと、
ＳＣＧベアラを第２のＭＣＧ又はスプリットベアラの何れかとなるように再設定する第３のベアラコンフィギュレーションを有する無線リソースコントロール（ＲＲＣ）メッセージを第１の基地局から受信するステップと、
第３のベアラコンフィギュレーションに応じて第２の無線ベアラを第２のＭＣＧベアラ又はスプリットベアラの何れかとして再設定するステップと、
第２の無線ベアラを第２のＭＣＧベアラ又はスプリットベアラに再設定した後に、第２の無線ベアラの第３のＰＤＣＰ ＳＤＵに関連する第１のセキュリティキー、第２のＴＸ＿ＨＦＮ及び第３のＰＤＣＰ ＳＮを用いることにより第３のＰＤＣＰ ＳＤＵを暗号化することにより第３の暗号化ＰＤＣＰ ＳＤＵを発生させるステップと、
第３の暗号化ＰＤＣＰ ＳＤＵを第１の基地局に送信するステップと
を具える接続変更方法。
【請求項２】
請求項１に記載の接続変更方法において、第３のＰＤＣＰ ＳＤＵが第２のセキュリティキー、第２のＴＸ＿ＨＦＮ及び第３のＰＤＣＰ ＳＮを用いて暗号化されると、第２の基地局には不成功に送信されるようになっている接続変更方法。
【請求項３】
請求項１に記載の接続変更方法において、この接続変更方法が更に、ＳＣＧベアラと関連するＮｅｘｔ＿ＰＤＣＰ＿ＴＸ＿ＳＮに応じて第３のＰＤＣＰ ＳＮを設定するステップを具えている接続変更方法。
【請求項４】
第１の基地局及び第２の基地局にデュアル接続しうるユーザ機器（ＵＥ）に適用しうる接続変更方法であって、この接続変更方法が、
第１の基地局と通信する第１のマスタセルグループ（ＭＣＧ）ベアラを設定する第１のベアラコンフィギュレーションをこの第１の基地局から受信するステップと、
この第１のベアラコンフィギュレーションに応じて第１の無線ベアラを第１のＭＣＧベアラとして設定するステップと、
第１の基地局と通信する第２のＭＣＧベアラ又はスプリットベアラを設定する第２のベアラコンフィギュレーションを第１の基地局から受信するステップと、
第２のベアラコンフィギュレーションに応じて第２の無線ベアラを第２のＭＣＧベアラ又はスプリットベアラとして設定するステップと、
第２の基地局と通信する第１のセカンダリセルグループ（ＳＣＧ）を設定する第３のベアラコンフィギュレーションを第１の基地局から受信するステップと、
第３のベアラコンフィギュレーションに応じて第３の無線ベアラを第１のＳＣＧベアラとして設定するステップと、
第１の暗号化パケットデータコンバーゼンスプロトコル（ＰＤＣＰ）サービスデータユニット（ＳＤＵ）を、第１の無線ベアラの第１のＰＤＣＰ ＳＤＵに関連する第１のセキュリティキー、第１の送信器ハイパーフレームナンバ（ＴＸ＿ＨＦＮ）及び第１のＰＤＣＰシーケンスナンバ（ＳＮ）を用いることによりこの第１のＰＤＣＰ ＳＤＵを暗号化することにより発生させるステップと、
第１の暗号化ＰＤＣＰ ＳＤＵを第１の基地局に送信するステップと、
第２の無線ベアラの第２のＰＤＣＰ ＳＤＵに関連する第１のセキュリティキー、第２のＴＸ＿ＨＦＮ及び第２のＰＤＣＰ ＳＮを用いることにより第２のＰＤＣＰ ＳＤＵを暗号化することにより第２の暗号化ＰＤＣＰ ＳＤＵを発生させるステップと、
第２の暗号化ＰＤＣＰ ＳＤＵを第１の基地局に送信するステップと、
第３の無線ベアラの第３のＰＤＣＰ ＳＤＵに関連する第２のセキュリティキー、第３のＴＸ＿ＨＦＮ及び第３のＰＤＣＰ ＳＮを用いることにより第３のＰＤＣＰ ＳＤＵを暗号化することにより、第３の暗号化ＰＤＣＰ ＳＤＵを発生させるステップと、
第３の暗号化ＰＤＣＰ ＳＤＵを第２の基地局に送信するステップと、
第２のＭＣＧベアラ又はスプリットベアラを第２のＳＣＧベアラとなるように再設定する第４のベアラコンフィギュレーションを有する無線リソースコントロール（ＲＲＣ）メッセージを受信するステップと、
第４のベアラコンフィギュレーションに応じて第２の無線ベアラを第２のＳＣＧベアラとして再設定するステップと、
第２の無線ベアラを第２のＳＣＧベアラに再設定した後に、第２の無線ベアラの第４のＰＤＣＰ ＳＤＵに関連する第２のセキュリティキー、第２のＴＸ＿ＨＦＮ及び第４のＰＤＣＰ ＳＮを用いることにより第４のＰＤＣＰ ＳＤＵを暗号化することにより第４の暗号化ＰＤＣＰ ＳＤＵを発生させるステップと、
第４の暗号化ＰＤＣＰ ＳＤＵを第２の基地局に送信するステップと
を具える接続変更方法。
【請求項５】
請求項４に記載の接続変更方法において、第４のＰＤＣＰ ＳＤＵが第１のセキュリティキー、第２のＴＸ＿ＨＦＮ及び第４のＰＤＣＰ ＳＮを用いて暗号化されると、第２の無線ベアラが第２のＳＣＧベアラに再設定される前には第２の基地局には不成功に送信されるようになっている接続変更方法。
【請求項６】
請求項４に記載の接続変更方法において、この接続変更方法が更に、第２のＭＣＧベアラ又はスプリットベアラと関連するＮｅｘｔ＿ＰＤＣＰ＿ＴＸ＿ＳＮに応じて第４のＰＤＣＰ ＳＮを設定するステップを具えている接続変更方法。
【請求項７】
第１の基地局及び第２の基地局にデュアル接続しうるユーザ機器（ＵＥ）に作用する第１の基地局に適用しうる接続変更方法であって、この接続変更方法が、
ＵＥに対する第１のＳＣＧベアラを確立する第１のＳＣＧコンフィギュレーションを第２の基地局から受信するステップと、
第１のＳＣＧコンフィギュレーションを有する第１の無線リソースコントロール（ＲＲＣ）メッセージをＵＥに送信するステップと、
ＵＥに対する第２のＳＣＧベアラを確立するための第１のＳＣＧコンフィギュレーションを有する第１のＳＣＧ付加要求を第３の基地局に送信するステップと、
第１のＳＣＧ付加要求を送信するのに応答して第１のＳＣＧコンフィギュレーションに基づく第２のＳＣＧコンフィギュレーションを有する第１のＳＣＧ付加応答を第３の基地局から受信するステップと、
第１のＳＣＧベアラを解除するＳＣＧ解除要求を第２の基地局に送信するステップと、
第２のＳＣＧベアラを確立する第２のＳＣＧコンフィギュレーションを有する第２のＲＲＣメッセージをＵＥに送信するステップと
を具える接続変更方法。
【請求項８】
請求項７に記載の接続変更方法において、第１のＳＣＧコンフィギュレーションを受信するステップが、
ＵＥに対する第１のＳＣＧベアラを確立するために第２のＳＣＧ付加要求を第２の基地局に送信することと、
第１のＳＣＧコンフィギュレーションを有する第２のＳＣＧ付加応答を第２の基地局から受信することと
を含んでいる接続変更方法。
【請求項９】
請求項７に記載の接続変更方法において、第２のＳＣＧコンフィギュレーションが第１のＳＣＧコンフィギュレーションとは相違する情報を含むようにする接続変更方法。
【請求項１０】
請求項９に記載の接続変更方法において、第１のＳＣＧベアラを解除するＳＣＧ解除要求を送信した後に、この接続変更方法が更に、
第１のＳＣＧベアラのパケットデータコンバーゼンスプロトコル（ＰＤＣＰ）サービスデータユニット（ＳＤＵ）の送信が成功せず、送信器ハイパーフレームナンバ（ＴＸ＿ＨＦＮ）及びＰＤＣＰシーケンスナンバ（ＳＮ）がＰＤＣＰ ＳＤＵに関連する場合に、ＰＤＣＰ ＳＤＵと、ＴＸ＿ＨＦＮと、ＰＤＣＰ ＳＮとを第２の基地局から受信するステップと、
ＰＤＣＰ ＳＤＵと、ＴＸ＿ＨＦＮと、ＰＤＣＰ ＳＮとを第２の基地局から受信するのに応答して、ＰＤＣＰ ＳＤＵと、ＴＸ＿ＨＦＮと、ＰＤＣＰ ＳＮとを第３の基地局に送信するステップと
を具える接続変更方法。
【請求項１１】
請求項１０に記載の接続変更方法において、この接続変更方法が更に、
ＳＣＧ解除要求を送信するのに応答して受信されなかった他のＰＤＣＰ ＳＤＵに関連する受信器ハイパーフレームナンバ（ＲＸ＿ＨＦＮ）及びＰＤＣＰ ＳＮを第２の基地局から受信するステップと、
他のＰＤＣＰ ＳＤＵに関連するＲＸ＿ＨＦＮ及びＰＤＣＰ ＳＮを第３の基地局に送信するステップと
を具えている接続変更方法。
【請求項１２】
基地局に適用しうる接続変更方法において、この接続変更方法が、
通信用の第１のマスタセルグループ（ＭＳＧ）ベアラを設定する第１の無線リソースコントロール（ＲＲＣ）メッセージをＵＥに送信するステップと、
第１のセキュリティキーで暗号化された第１のパケットデータコンバーゼンスプロトコル（ＰＤＣＰ）サービスデータユニット（ＳＤＵ）をＵＥに送信するステップと、
第１のＳＣＧベアラを設定する第１のセカンダリセルグループ（ＳＣＧ）コンフィギュレーションと第２のＳＣＧベアラを設定する第２のＳＣＧコンフィギュレーションとを他の基地局から受信するステップと、
第１のＳＣＧコンフィギュレーションと第２のＳＣＧコンフィギュレーションとを受信するのに応答して第１のＳＣＧベアラと第２のＳＣＧベアラとを設定する少なくとも１つの第２のＲＲＣメッセージを送信するステップと、
第１のＳＣＧベアラを解除するメッセージを他の基地局に送信するステップと、
第１のＳＣＧベアラの送信器ハイパーフレームナンバ（ＴＸ＿ＨＦＮ）及びＮｅｘｔ＿ＰＤＣＰ＿ＴＸ＿ＳＮを他の基地局から受信するステップと、
第１のＳＣＧベアラを第２のＭＣＧベアラ又はスプリットベアラとなるように再設定する第３のＲＲＣメッセージをＵＥに送信するステップと、
第１のセキュリティキー、ＴＸ＿ＨＦＮ及びＮｅｘｔ＿ＰＤＣＰ＿ＴＸ＿ＳＮを用いることにより暗号化された第２のＰＤＣＰ ＳＤＵを、ＭＣＧベアラ又はスプリットベアラを介してＵＥに送信するステップと
を具える接続変更方法。
【請求項１３】
請求項１２に記載の接続変更方法において、この接続変更方法が更に、
第１のＳＣＧベアラに関連するとともに受信されない第３のＰＤＣＰ ＳＤＵに関連する受信器ハイパーフレームナンバ（ＲＸ＿ＨＦＮ）及びＰＤＣＰシーケンスナンバ（ＳＮ）をメッセージの送信に応答して他の基地極から受信するステップ
を具えている接続変更方法。
【請求項１４】
基地局に適用しうる接続変更方法において、この接続変更方法が、
ＵＥに対する第１のＳＣＧベアラを設定する第１のセカンダリセルグループ（ＳＣＧ）コンフィギュレーションを他の基地局に送信するステップと、
ＵＥの第２のＭＣＧベアラ又はスプリットベアラと交換する第２のＳＣＧベアラを確立することを要求するメッセージを他の基地局から受信するステップと、
第２のＭＣＧベアラ又はスプリットベアラの送信器ハイパーフレームナンバ（ＴＸ＿ＨＦＮ）及びＮｅｘｔ＿ＰＤＣＰ＿ＴＸ＿ＳＮを他の基地局から受信するステップと、
第２のセキュリティキー、ＴＸ＿ＨＦＮ及びＮｅｘｔ＿ＰＤＣＰ＿ＴＸ＿ＳＮを用いてＰＤＣＰ ＳＤＵを暗号化することにより暗号化されたＰＤＣＰ ＳＤＵを発生させるステップと、
暗号化されたＰＤＣＰ ＳＤＵを、第２のＳＣＧベアラを介してＵＥに送信するステップと
を具える接続変更方法。
【請求項１５】
請求項１４に記載の接続変更方法において、この接続変更方法が更に、
基地局が、第２のＭＣＧベアラ又はスプリットベアラに関連するが、メッセージを受信するのに応答して受信されないＰＤＣＰ ＳＤＵに関連する受信器ハイパーフレームナンバ（ＲＸ＿ＨＦＮ）及びＰＤＣＰシーケンスナンバ（ＳＮ）を受信するステップ
を具える接続変更方法。
【発明の詳細な説明】
【技術分野】
【０００１】
本発明は、複数の基地局に接続されたユーザ機器（ＵＥ：User Equipment）に適用しうるとともに、複数の基地局に接続されたＵＥにサービスを提供する基地局に適用する接続変更（修正）方法に関するものである。
【０００２】
[関連出願の相互参照]
この出願は、２０１４年３月１４日に出願された出願番号61/952,894と、２０１４年３月１７日に出願された出願番号61/954,578と、２０１４年５月９日に出願された出願番号61/990,724との米国特許仮出願の優先権を主張するものであり、これらの米国特許仮出願の各々の開示内容は、参考のために導入されるものであり、明細書の一部を構成するものである。
【背景技術】
【０００３】
サードジェネレーションパートナーシッププロジェクト（３ＧＰＰ：登録商標）リリース８標準規格及び３ＧＰＰリリース９標準規格の双方又は何れか一方をサポートするロングタームエボリューション（ＬＴＥ）システムは、ユニバーサル移動体通信システム（ＵＭＴＳ）の承継である３ＧＰＰにより開発されたものであり、ＵＭＴＳの性能を更に強化してユーザの高まる要求を満足させるものである。このようなＬＴＥシステムは、新たな無線インタフェース及び新たな無線ネットワークアーキテクチャを有し、このアーキテクチュアにより、データレートを高め、レイテンシ（待ち時間）を少なくし、データパケットを最適なものとし、システムの容量を向上させ、システムのカバレッジ（通話エリア）を広めるようにしている。ＬＥＴシステムにおいては、エボルブドユニバーサル地上無線ネットワーク（Ｅ‐ＵＴＲＡＮ）として既知の無線アクセスネットワーク（ＲＡＮ）に、少なくとも１つのマルチプルユーザ機器（ＵＥ）と通信する少なくとも１つのエボルブドノードＢ（ｅＮＢ）を設けることができる。ｅＮＢは移動管理エンティティ（ＭＭＥ）を介してコアネットワークとも通信し、このコアネットワークの非アクセス層（ＮＡＳ）内の種々のゲートウェイ及びサーバのような種々のネットワークエンティティに達するようにしうる。
【０００４】
ＬＴＥ‐Advanced（ＬＴＥ‐Ａ）システムは、その名称が意味するように、ＬＴＥシステムを更に高度化したものである。ＬＴＥ‐Ａ通信システムは、その前世代のシステムに比べて、出力状態間の切換えを高速にし、ｅＮＢのカバレッジのエッジにおける性能を良好にし、且つキャリアアグリゲーション（ＣＡ）、コーオーディネイトマルチポイント（セル間協調：ＣｏＭＰ）送受信、ＵＬ複数入力・複数出力（ＭＩＭＯ）、等のような技術を発展させる。ＬＴＥ‐ＡシステムにおいてＵＥ及びｅＮＢが互いに通信するようにするためには、これらＵＥ及びｅＮＢは３ＧＰＰリリース１０標準規格又はそれ以降のバージョンのようなＬＴＥ‐Ａシステムに対し開発された標準規格を満足する必要がある。
【０００５】
マイクロセル基地局、ピコセル基地局、フェムトセル基地局、等のような低出力基地局により制御されるスモールセルは、移動体電子装置の高まる要求に起因してネットワークトラフィックを増大させるのを満足させるように展開しうる。スモールセルは、インドア及びアウトドアの双方のシナリオに対するホットスポットとして展開させることができる。低出力の基地局は一般に、マクロノードＢ、マクロｅＮＢ又はその他の変形基地局のようなマクロセル基地局の動作出力よりも低い動作出力を有する基地局として規定されている。従って、ＵＥは、デュアルコネクティビティ（双対接続性）を適用することにより、マイクロセル基地局及びスモールセル基地局と同時に通信しうる。この場合、ＵＥは、マイクロセル基地局及び低出力基地局の双方を介してユーザデータ及び制御情報を送信又は受信することができる。デュアルコネクティビティは、マクロ基地局とのデュアル同時送信の結果として増大するデータ処理能力の利益をＵＥに対して与えることができる。
【０００６】
代表的に、マクロセル基地局はマスタｅＮＢ（ＭｅＮＢ）であり、スモールセル基地局はセカンダリｅＮＢ（ＳｅＮＢ）であるが、何れかの基地局はマスタｅＮＢ（ＭｅＮＢ）又はセカンダリｅＮＢ（ＳｅＮＢ）として２つの異なる役割を奏するようにしうる。図１は、ＵＥが２つの基地局にデュアル接続されているワイヤレス通信システムに適用しうるデュアルコネクティビティシナリオを示す。ワイヤレス通信システムは、ＬＴＥ又はＬＴＥ‐Ａ通信システムとすることができるとともに、少なくともＭｅＮＢ１０１、ＳｅＮＢ１０２、ＵＥ１０３を有するが、これらに限定されるものではない。ＭｅＮＢ１０１はマクロセル基地局とすることができるとともに第１のカバレッジエリア１０５を提供し、ＳｅＮＢ１０２はスモールセル基地局とすることができるとともに第１のカバレッジエリア１０５よりも小さい第２のカバレッジエリア１０４を提供する。第２のカバレッジエリア１０４は、第１のカバレッジエリア１０５と完全に重複するか、又は部分的に第１のカバレッジエリア１０５の外部に位置するようにしうる。図１のワイヤレス通信システムの場合、ＵＢ１０３はＭｅＮＢ１０１及びＳｅＮＢ１０２の双方と同時に通信しうる。このことは、ある時点では、ＵＢ１０３は、ＭｅＮＢ１０１のセル及びＳｅＮＢ１０２のセルの双方に対するアップリンク送信を実行することができるとともに、ＭｅＮＢ１０１のセル及びＳｅＮＢ１０２のセルの双方に対するダウンリンク受信を実行することができる。
【０００７】
ＭｅＮＢ１０１及びＳｅＮＢ１０２は、互いに異なるキャリア周波数の下で動作しうることに注意されたい。例えば、ＬＴＥ‐Ａ通信システムとしたワイヤレス通信システム１００がキャリアアグリゲーションスキームを用いているものと仮定すると、ＭｅＮＢ１０１は第１のコンポーネントキャリア（ＣＣ１）の下で動作でき、ＳｅＮＢ１０２は第２のコンポーネントキャリア（ＣＣ２）の下で動作でき、ＣＣ１の周波数スペクトルはＣＣ２の周波数スペクトルと重複しない。
【０００８】
図２Ａは、図１の代表的なワイヤレス通信システムにより実行される一般的なＲＡＮプロトコルアーキテクチュアを示す。特定の無線ベアラが用いる無線プロトコルアーキテクチュアは、無線ベアラが如何に設定されているかに依存する。無線ベアラは、コントロールプレーンデータ送信及び受信の双方又は何れか一方のためのシグナリング無線ベアラ（ＳＲＢ）に対するユーザプレーンデータ送信及び受信の双方又は何れか一方のためのデータ無線ベアラ（ＤＲＢ）とすることができる。コントロールプレーンに対するＤＲＢには、ＤＲＢアイデンティティと、ＥＳＰベアラアイデンティティと、パケットデータコンバージェンスプロトコル（ＰＤＣＰ）のコンフィギュレーション（configuration:設定）（例えば、ヘッダ圧縮コンフィギュレーション）と、ロジカルチャネルアイデンティティと、ロジカルチャネルコンフィギュレーション（例えば、プライオリティ及び論理チャネルグループ）とが設けられている。ＳＲＢ形態には、ＳＲＢアイデンティティと、無線リンクコントロール（ＲＬＣ）コンフィギュレーションと、論理チャネルコンフィギュレーションとが含まれている。
【０００９】
図２Ｂに示すように、デュアルコネクティビティでは、少なくとも３種類のデュアルコネクティビティ無線ベアラ、すなわち、マスタセルグループ（ＭＣＧ）２１１と、セカンダリセルグループ（ＳＣＧ）２１２と、スプリットベアラ２１３とを存在させることができる。ＭＣＧ２１１は、ＭｅＮＢ（例えば、１０１）内にのみ位置する無線プロトコルを採用してＭｅＮＢリソースのみを用いるようにする。ＳＣＧ２１２は、ＳｅＮＢ（例えば、１０２）内にのみ位置する無線プロトコルを採用してＳｅＮＢリソースを用いるようにする。スプリットベアラ２１３は、ＭｅＮＢ（例えば、１０１）内とＳｅＮＢ（例えば、１０２）内との双方に位置する無線プロトコルを採用してＭｅＮＢリソース及びＳｅＮＢリソースの双方を用いるようにする。一般には、ＤＲＢをＭＣＧベアラとするか、又はＳＣＧベアラとするか、又はスプリットベアラとすることができる。又一般には、ＳＲＢをＭＣＧベアラとするか、又はＳＣＧベアラとするか、又はスプリットベアラとすることができる。
【００１０】
ＲＢ（すなわちＤＲＢ又はＳＲＢ）は、１つのＰＤＣＰエンティティに関連している。このＰＤＣＰエンティティは、ＲＢ特性（すなわち、一方向性又は双方向性）及びＲＬＣモード（例えば、応答モード又は非応答モード）に応じて、１つのＲＬＣエンティティ又は２つの（各方向に対し１つの）ＲＬＣエンティティに関連している。スプリットベアラの場合、ＰＤＣＰエンティティは、２つのＡＭ ＲＬＣエンティティに関連している。暗号化／暗号解読及び完全性保証／検査の場合、ＰＤＣＰサービスデータユニット（ＳＤＵ）に関連するカウント（ＣＯＵＮＴ）値は、ＵＥ側と、このＵＥにサービスを提供する基地局とにより保守される。このカウント値は、ハイパーフレームナンバ（ＨＦＮ）と、ＰＤＣＰシーケンスナンバ（連続番号）とより成っている。状態変数Ｎｅｘｔ ＰＤＣＰ ＴＸ ＳＮは、ＰＤＣＰエントリにより送信すべき次のＰＤＣＰ ＳＤＵのＰＤＣＰシーケンスナンバを表している。状態変数ＴＸ＿ＨＦＮは、送信すべきＰＤＣＰ ＰＤＵを暗号化又は完全性保証するために用いるカウント値を発生させるためのＨＦＮ値を表している。状態変数Ｎｅｘｔ ＰＤＣＰ ＲＸ ＳＮは、受信するＰＤＣＰエンティティによる次に期待されるＰＤＣＰシーケンスナンバを表している。状態変数ＲＸ＿ＨＦＮは、受信したＰＤＣＰ ＰＤＵに対し用いられたカウント値を発生させるためのＨＦＮ値を表している。上述したような状態変数を有するＰＤＣＰ ＰＤＵの送信及び受信を含む機構は、３ＧＰＰ ＴＳ 36.323の仕様書で見ることができる。仕様書は参考のために導入したものである。
【００１１】
デュアルコネクティビティでは、ＤＲＢはＭＣＧベアラ、ＳＣＧベアラ又はスプリットベアラとして開始することができるが、このＤＲＢは１つのデュアルコネクティビティ無線ベアラから他のデュアルコネクティビティ無線ベアラに再設定することができる。換言すれば、ＭｅＮＢによりＤＲＢを設定した後に、このＭｅＮＢはこのＤＲＢを第１のデュアルコネクティビティ無線ベアラから第２のデュアルコネクティビティ無線ベアラに再設定することができる。以下に種々の可能性を説明する。
【００１２】
第１の可能性には、第１のＳＧＣベアラを第２のＳＧＣベアラに変えることが含まれる。このことは、ＤＲＢが、第１のＳｅＮＢに基づく第１のＳＣＧベアラとして設定されたが、ＳｅＮＢが変化された為に第２のＳｅＮＢに基づく第２のＳＣＧベアラとなるように再設定されることに応答して生じる。
【００１３】
第２の可能性には、ＳＣＧベアラをＭＣＧベアラに変えることが含まれる。このことは、ＤＲＢが、ＳｅＮＢに基づくＳＣＧベアラとして設定されたが、ＳｅＮＢが除外されるような状況の為にＭｅＮＢに基づくＭＣＧベアラとなるように再設定されることに応答して生じる。
【００１４】
第３の可能性には、ＳＣＧベアラをスプリットベアラに変えることが含まれる。このことは、ＤＲＢが、ＳｅＮＢに基づくＳＣＧベアラとして設定されたが、ＳｅＮＢへのトラフィックのオフロードのような状況の為にＭｅＮＢに基づくスプリットベアラとなるように再設定されることに応答して生じる。
【００１５】
第４の可能性には、ＳＣＧベアラをＳＣＧベアラに変えることが含まれる。このことは、ＤＲＢが、ＭｅＮＢに基づくＭＣＧベアラとして設定されたが、ＳｅＮＢへのトラフィックのオフロードのような状況の為にＳｅＮＢに基づくＳＣＧベアラとなるように再設定されることに応答して生じる。
【００１６】
第５の可能性には、スプリットベアラをＳＣＧベアラに変えることが含まれる。このことは、ＤＲＢが、スプリットベアラとして設定されたが、ＳｅＮＢへのトラフィックのオフロードのような状況の為にＳＣＧベアラとなるように再設定されることに応答して生じる。
【００１７】
第６の可能性には、スプリットベアラをＭＣＧベアラに変えることが含まれる。このことは、ＤＲＢが、スプリットベアラとして設定されたが、ＳｅＮＢの除外のような状況の為にＭＣＧベアラとなるように再設定されることに応答して生じる。
【００１８】
第７の可能性には、第１のスプリットベアラを第２のスプリットベアラに変えることが含まれる。このことは、ＤＲＢが、第１のスプリットベアラとして設定されたが、ＳｅＮＢの変化の為にＭＣＧベアラとなるように再設定されることに応答して生じる。
【００１９】
第８の可能性には、ＭＣＧベアラをスプリットベアラに変えることが含まれる。このことは、ＭｅＮＢに基づくＭＣＧベアラとして設定されたが、ＳｅＮＢへのトラフィックのオフロードのような状況の為にスプリットベアラとなるように再設定されることに応答して生じる。
【００２０】
１つのデュアルコネクティビティ無線ベアラから他のデュアルコネクティビティ無線ベアラに変更されるＤＲＢを含む機構は、仕様書３ＧＰＰ ＴＳ 36.331 v12.1.0及び３ＧＰＰ Ｒ２-141857のような参考資料から分かる。これらの仕様書は参考のために導入したものである。
【００２１】
図３は、セカンダリセルグループ（ＳＣＧ）／ＳｅＮＢの変更手順を示しているシグナリング線図である。ＳＣＧ変更手順は、ＳｅＮＢにより開始され、同じＳｅＮＢ内でのＳＣＧのコンフィギュレーション変化を実行するのに用いられる。ステップＳ３０１においては、ＳｅＮＢ（例えば、ＳｅＮＢ１０２）が、Ｘ２インタフェースアプリケーションプロトコル（ＡＰ）を介してＳＣＧ変更要求メッセージ（Mod Req）を送信し、このＳＣＧ変更要求メッセージ内の無線リソースコントロール（ＲＲＣ）コンテナ（container）によりＳＣＧの新たな無線リソースコンフィギュレーションを提供することにより、ＳＣＧ変更を要求するようにする。ステップＳ３０２においては、ＭｅＮＢ（例えば、ＭｅＮＢ１０１）により受信され、且つ容認されたＳＣＧ変更要求メッセージに応答して、このＭｅＮＢがこのＳＣＧ変更要求メッセージに応じたＳＣＧの新たな無線リソースコンフィギュレーションを含むＲＲＣ接続リコンフィギュレーション（Connection Reconfiguration）メッセージ（ＲＲＣReconfig）をＵＥ（例えば、ＵＥ１０３）に送信することができる。ステップＳ３０３においては、ＵＥがＳＣＧの新たな無線リソースコンフィギュレーションを適用し、その後に、ＲＲＣ接続リコンフィギュレーション完了（Complete）メッセージ（ＲＲＣ Reconfig Complete）を返答としてＭｅＮＢに戻すように送信する。ＳＣＧの新たな無線リソースコンフィギュレーションを実行するのにＵＥとＳｅＮＢとの間の同期を必要としないものとすると、ＵＥは、新たなコンフィギュレーションを適用した後にＵＬ送信を実行しうる。ＳＣＧの新たな無線リソースコンフィギュレーションがＵＥとＳｅＮＢとの間の同期を必要とする場合には、ステップＳ３０５において、ＵＥがランダムアクセス（ＲＡ）処理を開始しうる。ステップＳ３０４では、ＭｅＮＢは、ＲＲＣ接続リコンフィギュレーション完了メッセージをＸ２‐ＡＰを介して送信することにより、ＳｅＮＢにＳＣＧ変更応答（Mod Res）を行うことができる。
【００２２】
ＵＥが、ステップＳ３０２で戻されるＲＲＣ接続リコンフィギュレーションメッセージに含まれるようなＳＣＧの無線リソースコンフィギュレーション（の一部）に適合できない状況の下では、ＵＥはリコンフィギュレーション失敗手順を実行しうる。ＲＲＣ接続リコンフィギュレーション完了メッセージを送信するとともにＳＣＧに向かうＲＡ手順を実行するＵＥの順序は規定されていない。ＲＲＣ接続リコンフィギュレーション手順を成功裏に完了させるためには、ＳＣＧに向かうＲＡ手順の成功は必要としない。ＳＣＧにおけるプライマリＳＣｅｌｌ（ＰＳＣｅｌｌ）は、ＳＣＧ変更手順で変えることができる。ＳｅＮＢは、例えば、古い特定のＳＣｅｌｌか、又は新たな特定のＳＣｅｌｌが同じＴＡＧに属しているかに応じて、ＲＡ手順が必要か否かを決定しうる。ＳｅＮＢはＰＳＣｅｌｌ以外のＳＣＧ ＳＣｅｌｌの解除（リリース）をトリガでき、ＭｅＮＢは拒むことができない。
【００２３】
図４は、ＳＣＧ付加／ＭｅＮＢトリガ変更の手順を示すシグナリング線図である。ＳＣＧ付加の手順は、代表的にＭｅＮＢにより開始されてＳＣＧの第１のセルを付加する。ＭｅＮＢは、同じ又は類似の手順を用いてＳＣＧセル及びＳＣＧベアラの付加又は解除を開始しうる。ＳＣＧの全体の解除以外のあらゆるＳＣＧの変更に対しては、ＳｅＮＢがＵＥに向かうシグナリングを発生させる。ＭｅＮＢは特定のＳＣｅｌｌをＳｅＮＢに付加することを要求でき、ＳｅＮＢは拒むことができる。上述した変更手順を用いることにより、ＭｅＮＢは、ＰＳＣｅｌｌ以外のＳＣＧ Ｃｅｌｌの解除をトリガでき、この場合にはＳｅＮＢは拒むことができない。
【００２４】
ステップＳ４０１では、ＭｅＮＢがＸ２‐ＡＰを介して、ＭＣＧコンフィギュレーション及びＵＥ能力（の一部）を含むＳＣＧの付加／変更要求メッセージ（Add/Mod）を送信し、ＵＥの能力の調整がＳｅＮＢによるリコンフィギュレーションに対する基礎として用いられるようにする。ＳＣＧの付加及びＳＣＧ ＳＣｅｌｌの付加要求の場合、ＭｅＮＢが最も後の測定結果（ＳｅＮＢセルの場合ＦＦＳ）を生じうる。ＳｅＮＢは、このような要求を拒むことができる。ステップＳ４０２では、ＳｅＮＢがＭｅＮＢ要求を受入れるものとした場合に、ＳｅＮＢが仕様書Ｒ２‐141857の10.1.2X.1に明記されているようなＳＣＧ変更手順（Modification Procedure）を開始し、このＳＣＧ変更手順の前又は後としうる後続応答を生じる。１つのＳｅＮＢの設定されたＳＣＧをＵＥにおける他のＳｅＮＢに変えるのにＳＣＧ変化（change）手順を用いることができ、この手順をＳＣＧ変更手順により実現しうる。ＳＣＧ変更手順中に送信されたＲＲＣ接続リコンフィギュレーションメッセージには、ソースであるＳＣＧを解除するための情報が含まれている。
【００２５】
上述したデュアルコネクティビティシナリオでは、殆どの場合ＵＥがＭｅＮＢ及びＳｅＮＢの双方に接続される。しかし、ＵＥが移動していると、ＵＥに対するワイヤレスサービスを提供するＥ‐ＵＴＲＡＮによりＵＥに対しＭｅＮＢ及びＳｅＮＢの双方又は何れか一方を変える場合がある。このシナリオは、ＵＥがある基地局から他の基地局に引き継がれる代表的なハンドオーバーシナリオとは異なっていることに注意すべきである。デュアルコネクティビティシナリオの場合、ＵＥはＭｅＮＢ及びＳｅＮＢの双方に同時に接続され、代表的に一度にはＭｅＮＢ及びＳｅＮＢの一方が変化しうる。しかし、ＵＥに対しＭｅＮＢ及びＳｅＮＢの双方又は何れか一方を変化させるような期間中は、データ送信及びデータ受信が中断するか又は失敗するおそれがある。この中断又は失敗は、如何なる時にも損失のない動作を実行するネットワークに対して場合に応じ種々の問題を課するおそれがある。一例として、暗号化及び暗号解読処理が図２Ｃに示すようなＴＸ＿ＨＦＮの使用を伴う場合がある。しかし、例えば、ＵＥに対しＳｅＮＢが他のｅＮＢに変化することにより、送信がＴＸ＿ＨＦＮ＝２で失敗する場合には、ＳｅＮＢが他のｅＮＢに変化した後に如何なる送信がＴＸ＿ＨＦＮ値を用いる必要があるかが不明確となる。
【００２６】
従って、ＭｅＮＢ及びＳｅＮＢの双方又は何れか一方が変化した後にデータ送信及びデータ受信を如何に再開又は回復させるかは、現在のワイヤレス技術を前進させる際の設計留意点の１つとなる。
【発明の概要】
【発明が解決しようとする課題】
【００２７】
本発明は、複数の基地局に接続されたユーザ機器（ＵＥ）に適用しうるとともに、複数の基地局に接続されたＵＥにサービスを提供する基地局に適用しうる接続変更方法を提供するものである。
【課題を解決するための手段】
【００２８】
代表的な例の１つにおいては、本発明により、第１の基地局及び第２の基地局にデュアル接続しうるユーザ機器（ＵＥ）に適用しうる接続変更方法を提供する。この方法は、第１の基地局と通信する第１のマスタセルグループ（ＭＣＧ）ベアラを設定する第１のベアラコンフィギュレーションをこの第１の基地局から受信するステップと；この第１のベアラコンフィギュレーションに応じて第１の無線ベアラを第１のＭＣＧベアラとして設定するステップと；第２の基地局と通信する第２のセルグループ（ＳＣＧ）ベアラを設定する第２のベアラコンフィギュレーションを第１の基地局から受信するステップと；第２のベアラコンフィギュレーションに応じて第２の無線ベアラをＳＣＧベアラとして設定するステップと；第１の暗号化パケットデータコンバーゼンスプロトコル（ＰＤＣＰ）サービスデータユニット（ＳＤＵ）を、第１の無線ベアラの第１のＰＤＣＰ ＳＤＵに関連する第１のセキュリティキー、第１の送信器ハイパーフレームナンバ（ＴＸ＿ＨＦＮ）及び第１のＰＤＣＮシーケンスナンバ（ＳＮ）を用いることによりこの第１のＰＤＣＰ ＳＤＵを暗号化することにより発生させるステップと；第１の暗号化ＰＤＣＰ ＳＤＵを第１の基地局に送信するステップと；第２の無線ベアラの第２のＰＤＣＰ ＳＤＵに関連する第２のセキュリティキー、第２のＴＸ＿ＨＦＮ及び第２のＰＤＣＰ ＳＮを用いることによりこの第２のＰＤＣＰ ＳＤＵを暗号化することにより、第２の暗号化ＰＤＣＰ ＳＤＵを発生させるステップと；第２の暗号化ＰＤＣＰ ＳＤＵを第２の基地局に送信するステップと；ＳＣＧベアラを第２のＭＣＧ又はスプリットベアラの何れかとなるように再設定する第３のベアラコンフィギュレーションを有する無線リソースコントロール（ＲＲＣ）メッセージを第１の基地局から受信するステップと；第３のベアラコンフィギュレーションに応じて第２の無線ベアラを第２のＭＣＧベアラ又はスプリットベアラの何れかとして再設定するステップと；第２の無線ベアラを第２のＭＣＧベアラ又はスプリットベアラに再設定した後に、第２の無線ベアラの第３のＰＤＣＰ ＳＤＵに関連する第１のセキュリティキー、第２のＴＸ＿ＨＦＮ及び第３のＰＤＣＰ ＳＮを用いることによりこの第３のＰＤＣＰ ＳＤＵを暗号化することにより第３の暗号化ＰＤＣＰ ＳＤＵを発生させるステップと；第３の暗号化ＰＤＣＰ ＳＤＵを第１の基地局に送信するステップとを具えるが、これらのステップに限定されるものではない。
【００２９】
代表的な例のうちの１つにおいて、本発明は、第１の基地局及び第２の基地局にデュアル接続しうるユーザ機器（ＵＥ）に適用しうる接続変更方法に向けるようにするものである。この接続変更方法は、第１の基地局と通信する第１のマスタセルグループ（ＭＣＧ）ベアラを設定する第１のベアラコンフィギュレーションをこの第１の基地局から受信するステップと；この第１のベアラコンフィギュレーションに応じて第１の無線ベアラを第１のＭＣＧベアラとして設定するステップと；第１の基地局と通信する第２のＭＣＧベアラ又はスプリットベアラを設定する第２のベアラコンフィギュレーションを第１の基地局から受信するステップと；第２のベアラコンフィギュレーションに応じて第２の無線ベアラを第２のＭＣＧベアラ又はスプリットベアラとして設定するステップと；第２の基地局と通信する第１のセカンダリセルグループ（ＳＣＧ）を設定する第３のベアラコンフィギュレーションを第１の基地局から受信するステップと；第３のベアラコンフィギュレーションに応じて第３の無線ベアラを第１のＳＣＧベアラとして設定するステップと；第１の暗号化パケットデータコンバーゼンスプロトコル（ＰＤＣＰ）サービスデータユニット（ＳＤＵ）を、第１の無線ベアラの第１のＰＤＣＰ ＳＤＵに関連する第１のセキュリティキー、第１の送信器ハイパーフレームナンバ（ＴＸ＿ＨＦＮ）及び第１のＰＤＣＰシーケンスナンバ（ＳＮ）を用いることによりこの第１のＰＤＣＰ ＳＤＵを暗号化することにより、発生させるステップと；第１の暗号化ＰＤＣＰ ＳＤＵを第１の基地局に送信するステップと；第２の無線ベアラの第２のＰＤＣＰ ＳＤＵに関連する第１のセキュリティキー、第２のＴＸ＿ＨＦＮ及び第２のＰＤＣＰ ＳＮを用いることによりこの第２のＰＤＣＰ ＳＤＵを暗号化することにより第２の暗号化ＰＤＣＰ ＳＤＵを発生させるステップと；第２の暗号化ＰＤＣＰ ＳＤＵを第１の基地局に送信するステップと；第３の無線ベアラの第３のＰＤＣＰ ＳＤＵに関連する第２のセキュリティキー、第３のＴＸ＿ＨＦＮ及び第３のＰＤＣＰ ＳＮを用いることによりこの第３のＰＤＣＰ ＳＤＵを暗号化することにより、第３の暗号化ＰＤＣＰ ＳＤＵを発生させるステップと；第３の暗号化ＰＤＣＰ ＳＤＵを第２の基地局に送信するステップと；第２のＭＣＧベアラ又はスプリットベアラを第２のＳＣＧベアラとなるように再設定する第４のベアラコンフィギュレーションを有する無線リソースコントロール（ＲＲＣ）メッセージを受信するステップと；第４のベアラコンフィギュレーションに応じて第２の無線ベアラを第２のＳＣＧベアラとして再設定するステップと；第２の無線ベアラを第２のＳＣＧベアラに再設定した後に、第２の無線ベアラの第４のＰＤＣＰ ＳＤＵに関連する第２のセキュリティキー、第２のＴＸ＿ＨＦＮ及び第４のＰＤＣＰ ＳＮを用いることによりこの第４のＰＤＣＰ ＳＤＵを暗号化することにより第４の暗号化ＰＤＣＰ ＳＤＵを発生させるステップと；第４の暗号化ＰＤＣＰ ＳＤＵを第２の基地局に送信するステップとを具えるが、これらのステップに限定されるものではない。
【００３０】
代表的な例のうちの１つでは、本発明は、第１の基地局及び第２の基地局にデュアル接続しうるユーザ機器（ＵＥ）に作用する第１の基地局に適用しうる接続変更方法に向けたものである。この方法は、ＵＥに対する第１のＳＣＧベアラを確立する第１のＳＣＧコンフィギュレーションを第２の基地局から受信するステップと；第１のＳＣＧコンフィギュレーションを有する第１の無線リソースコントロール（ＲＲＣ）メッセージをＵＥに送信するステップと；ＵＥに対する第２のＳＣＧベアラを確立するための第１のＳＣＧコンフィギュレーションを有する第１のＳＣＧ付加要求を第３の基地局に送信するステップと；第１のＳＣＧ付加要求を送信するのに応答して第１のＳＣＧコンフィギュレーションに基づく第２のＳＣＧコンフィギュレーションを有する第１のＳＣＧ付加応答を第３の基地局から受信するステップと；第１のＳＣＧベアラを解除するＳＣＧ解除要求を第２の基地局に送信するステップと；第２のＳＣＧベアラを確立する第２のＳＣＧコンフィギュレーションを有する第２のＲＲＣメッセージをＵＥに送信するステップとを具える。
【００３１】
代表的な例のうちの１つでは、本発明は、基地局に適用しうる接続変更方法に向けたものである。この方法は、通信用の第１のマスタセルグループ（ＭＳＧ）ベアラを設定する第１の無線リソースコントロール（ＲＲＣ）メッセージをＵＥに送信するステップと；第１のセキュリティキーで暗号化された第１のパケットデータコンバーゼンスプロトコル（ＰＤＣＰ）サービスデータユニット（ＳＤＵ）をＵＥに送信するステップと；第１のＳＣＧベアラを設定する第１のセカンダリセルグループ（ＳＣＧ）コンフィギュレーションと第２のＳＣＧベアラを設定する第２のＳＣＧコンフィギュレーションとを他の基地局から受信するステップと；第１のＳＣＧコンフィギュレーションと第２のＳＣＧコンフィギュレーションとを受信するのに応答して第１のＳＣＧベアラと第２のＳＣＧベアラとを設定する少なくとも１つの第２のＲＲＣメッセージを送信するステップと；第１のＳＣＧベアラを解除するメッセージを他の基地局に送信するステップと；第１のＳＣＧベアラの送信器ハイパーフレームナンバ（ＴＸ＿ＨＦＮ）及びＮｅｘｔ＿ＰＤＣＰ＿ＴＸ＿ＳＮを他の基地局から受信するステップと；第１のＳＣＧベアラを第２のＭＣＧベアラ又はスプリットベアラとなるように再設定する第３のＲＲＣメッセージをＵＥに送信するステップと；第１のセキュリティキー、ＴＸ＿ＨＦＮ及びＮｅｘｔ＿ＰＤＣＰ＿ＴＸ＿ＳＮを用いることにより暗号化された第２のＰＤＣＰ ＳＤＵを、ＭＣＧベアラ又はスプリットベアラを介して送信するステップとを具えるが、これらのステップに限定されるものではない。
【００３２】
代表的な例のうちの１つにおいては、本発明は、基地局に適用しうる接続変更方法に向けたものである。この方法は、ＵＥに対する第１のＳＣＧベアラを設定する第１のセカンダリセルグループ（ＳＣＧ）コンフィギュレーションを他の基地局に送信するステップと；ＵＥの第２のＭＣＧベアラ又はスプリットベアラと交換する第２のＳＣＧベアラを確立することを要求するメッセージを他の基地局から受信するステップと；第２のＭＣＧベアラ又はスプリットベアラの送信器ハイパーフレームナンバ（ＴＸ＿ＨＦＮ）及びＮｅｘｔ＿ＰＤＣＰ＿ＴＸ＿ＳＮを他の基地局から受信するステップと；第２のセキュリティキー、ＴＸ＿ＨＦＮ及びＮｅｘｔ＿ＰＤＣＰ＿ＴＸ＿ＳＮを用いてＰＤＣＰ ＳＤＵを暗号化することにより暗号化されたＰＤＣＰ ＳＤＵを発生させるステップと；暗号化されたＰＤＣＰ ＳＤＵを、第２のＳＣＧベアラを介してＵＥに送信するステップとを具えるが、これらのステップに限定されるものではない。
【００３３】
本発明の上述した特徴及び利点を理解しやすくするために、添付図面による代表的な実施例を以下に詳細に説明する。前述した一般的な説明及び以下の詳細な説明は例示的なものであり、特許請求の範囲に記載した開示の更なる説明を提供するものであることを理解すべきである。
【００３４】
しかし、上述した本発明の概要には、本発明の全ての態様及び例を含めておらず、従って、本発明が上述したものに限定されるものではないことを理解すべきである。又、本発明には、当業者にとって自明の改善及び改良が含まれるものである。
【００３５】
以下に本発明を添付図面につき説明するも、これらの添付図面は本発明の理解を助けるためのものであり、本明細書の一部に含まれるものである。これらの添付図面は本発明の実施例を示すものであり、本発明の説明と合わせて本発明の原理を開示するものである。
【図面の簡単な説明】
【００３６】
【図１】図１は、ＵＥを２つの基地局にデュアル接続するワイヤレス通信システムに適用しうるデュアルコネクティビティシナリオを示す線図である。
【図２Ａ】図２Ａは、図１の代表的なワイヤレス通信システムにより実行される一般的なＲＡＮプロトコルアーキテクチュアを示すブロック線図である。
【図２Ｂ】図２Ｂは、３種類の無線ベアラと、デュアルコネクティビティにおける無線ベアラの種類のリコンフィギュレーションとを示す線図である。
【図２Ｃ】図２Ｃは、送信が失敗又は中断した場合に生じるおそれのある問題の例として暗号化処理を示す線図である。
【図３】図３は、セカンダリセルグループ（ＳＣＧ）変更処理を示すシグナリング線図である。
【図４】図４は、ＳＣＧ付加／ＭｅＮＢトリガ変更の手順を示すシグナリング線図である。
【図５】図５は、ＵＥのハードウェア構成素子を、本発明の代表的な実施例のうちの１つの実施例による機能ブロックの形態で示す線図である。
【図６】図６は、基地局のハードウェア構成素子を、本発明の代表的な実施例のうちの１つの実施例による機能ブロックの形態で示す線図である。
【図７】図７は、本発明の第１の代表的な実施例を示す線図である。
【図８】図８は、本発明の第２の代表的な実施例を示す線図である。
【図９Ａ】図９Ａは、本発明の第３の代表的な実施例によりＳｅＮＢの変化の結果としてＳＣＧベアラを変えるシナリオを示す線図である。
【図９Ｂ】図９Ｂは、本発明の第３の代表的な実施例を示す線図である。
【図１０】図１０は、本発明の第４の代表的な実施例を示す線図である。
【図１１】図１１は、本発明の第５の代表的な実施例を示す線図である。
【図１２】図１２は、本発明の第６の代表的な実施例を示す線図である。
【図１３】図１３は、複数の基地局に接続されたユーザ機器（ＵＥ）の観点による接続変更方法を示す説明図である。
【図１４】図１４は、複数の基地局に接続されたユーザ機器（ＵＥ）の観点による接続変更方法を示す説明図である。
【図１５】図１５は、複数の基地局に接続されたユーザ機器（ＵＥ）へサービスを提供する基地局の観点による接続変更方法を示す説明図である。
【図１６】図１６は、複数の基地局に接続されたユーザ機器（ＵＥ）へサービスを提供する基地局の観点による接続変更方法を示す説明図である。
【図１７】図１７は、複数の基地局に接続されたユーザ機器（ＵＥ）へサービスを提供する基地局（例えば、ＳｅＮＢ）の観点による接続変更方法を示す説明図である。
【発明を実施するための形態】
【００３７】
以下に、幾つかの例を添付図面に示す本発明の代表的な実施例を詳細に説明する。図面及び説明において同じ又は同様な部品を参照するのに可能な限り同じ参照符号を用いる。
【００３８】
図５は、本発明の代表的な実施例の１つによるＵＥのハードウェア構成素子を機能ブロック線図で示している。代表的なＵＥは、処理回路５０１と、アナログ‐デジタル（Ａ／Ｄ）／デジタル‐アナログ（Ｄ／Ａ）変換回路（コンバータ）５０２と、送信機５０３と、受信機５０４と、１つ以上のアンテナ５０５と、前記処理回路５０１に結合された非一時的記憶媒体又はメモリユニット（図示せず）とを有するが、これらに限定されるものではない。ＵＥは、マッチング回路網及びフィルタを介して受信機５０４に結合される１つ以上のアンテナ５０５を通して無線周波数（ＲＦ）データを受信する。受信機５０４は、Ａ／Ｄ・Ｄ／Ａコンバータ５０２に結合され、ＲＦデータを直接的に又は間接的にベースバンドデータにダウンコンバートする。ベースバンドデータは、Ａ／Ｄコンバータ５０２によりデジタルデータに変換され、このデジタルデータが処理回路５０１に送信される。ＵＥは、ベースバンドデータに変換するためにデジタルデータをＤ／Ａコンバータ５０２に送信することによってもデータを送信する。ベースバンドデータは送信器５０３によりＲＦデータにアップコンバートされ、この送信機により１つ以上のアンテナ５０５を介してＲＦデータを送信する。
【００３９】
処理回路５０１は、マイクロプロセッサ、マイクロコントローラ及び特定用途向け集積回路（ＡＳＩＣ）のような１つ以上の処理手段を有している。処理回路５０１内にはマルチプルコネクティビティ（複数対接続性）コンフィギュレーションモジュール５０６が含まれており、このモジュールは、第１、第２、…、第６の代表的な実施例を含む本発明の接続変更方法の実行に対し直接関与するようにするか又は間接的に支援するようにする。記憶媒体は、本発明の接続変更方法の動作に関連するプログラミングコード、バッファリングデータ及びパーマネントデータを記憶することができる。
【００４０】
本発明で用いる用語“ユーザ機器”（ＵＥ）は、例えば、移動局、アドバンスト（進歩した）移動局（ＡＭＳ）、サーバ、クライアント、デスクトップコンピュータ、ラップトップコンピュータ、ネットワークコンピュータ、ワークステーション、パーソナルデジタルアシスタント（ＰＤＡ）、タブレットパーソナルコンピュータ（ＰＣ）、スキャナ、電話装置、ポケットベル、カメラ、テレビジョン、携帯用ビデオゲーム装置、音楽装置、無線センサ、等を含むが、これらに限定されることのない種々の実施例を表すものである。ある適用分野では、ＵＥをバス、電車、飛行機、ボート、自動車、等のような移動環境内で動作する固定コンピュータ装置とすることができる。
【００４１】
図６は、本発明の代表的な実施例の１つによる基地局のハードウェア構成素子を機能ブロック線図で示している。基地局には処理回路６０１と、Ａ／Ｄ・Ｄ／Ａコンバータ回路６０２と、送信機６０３と、受信機６０４と、１つ以上のアンテナ６０５と、非一時的記憶媒体（図示せず）とを有するが、これらに限定されるものではない。処理回路６０１内にはマルチプルコネクティビティコンフィギュレーションのモジュール６０６が含まれており、このモジュールは、第１、第２、…、第６の代表的な実施例を含む本発明の接続変更方法の実行に対し直接関与するようにするか又は間接的に支援するようにする。これらの構成素子に対する説明は図５におけるＵＥに対する説明に類似するものであり、従って、その繰返しを省略する。
【００４２】
本発明における用語“基地局”は“ｅＮＢ”と同義とすることができ、これらの用語は、マスタ基地局、セカンダリ基地局、スレーブ基地局、マクロセル基地局、ミクロセル基地局、ピコセル基地局、フェムトセル基地局、等のような種々の変形をカバーすることができる。又、当業者にとって明らかなように、アドバンスト基地局（ＡＢＳ）、ベーストランシーバシステム（ＢＴＳ）、アクセスポイント（ＡＰ）、ホームベースステーション、リレーステーション、スキャッタ、リピータ、中間ノード、中継局及び衛生通信基地局の何れか又はこれらの任意の組合せのような同様なネットワークアクセス効果を達成するのに他の種類の基地局を適用するようにしうる。
【００４３】
前述した問題を解決するために、本発明によれば、データ送信及び受信における変化を処理し、ＵＥに作用していた無線ベアラの種類の変化に対処するようにして、前述した問題を解決するようにした。異なるシナリオを適切にカバーするために、本発明の種々の態様を解明する６つの代表な実施例を提供する。
【００４４】
図７は、本発明の第１の代表的な実施例を示す。この第１の代表的な実施例は、ＳＣＧベアラからＭＣＧベアラ又はスプリットベアラへの変化に対するＵＥ側の応答に向けられたものである。図７のシナリオは、図１により表すこともできる。ステップＳ７０１では、ＭｅＮＢが、ＵＥ及びＭｅＮＢ間で互いに通信するのに用いられる第１のＭＣＧベアラを確立する第１のコンフィギュレーションを有する第１のＲＲＣメッセージをＵＥに送信する。ステップＳ７０２では、ＳｅＮＢが、ＳｅＮＢ及びＵＥ間で互いに通信するのに用いられる第１のＳＣＧベアラを設定する第２のコンフィギュレーションを有するコンフィギュレーションメッセージ（Config）をinter-ｅＮＢインタフェースを介してＭｅＮＢに送信する。inter-ｅＮＢインタフェースは、例えば、ＬＴＥ通信システムにより一般に用いられるＸ２インタフェースとすることができる。ステップＳ７０３では、ＭｅＮＢが、第１のＳＣＧベアラを設定する第２のコンフィギュレーションを有する第２のＲＲＣメッセージをＵＥに送信する。
【００４５】
ＭｅＮＢ及びＳｅＮＢに対してデュアル通信を行うために、第１のＳＣＧベアラ及び第１のＭＣＧベアラがＵＥにより確立された後に、ステップＳ７０４において、ＵＥが第１のセキュリティキー（w/key1）を用いて第１の複数のパケットデータコンバーゼンスプロトコル（ＰＤＣＰ）サービスデータユニット（ＳＤＵ）を暗号化して、第１の暗号化ＰＤＣＰ ＳＤＵを発生させ、続いて、この第１の暗号化ＰＤＣＰ ＳＤＵを、第１のＭＣＧベアラを介してＭｅＮＢに送信するようにする。ＰＤＣＰ ＳＤＵの暗号化は、第１のＰＤＣＰ ＳＤＵに関連する第１の送信機ハイパーフレームナンバ（ＴＸ＿ＨＦＮ）及びＰＤＣＰシーケンスナンバ（ＳＮ）を用いることにより達成される。ＵＥは、暗号化前に、第１のＮｅｘｔ＿ＰＤＣＰ＿ＴＸ＿ＳＮに応じて第１のＰＤＣＰ ＳＮを設定する。ＵＥは、第１のＭＣＧベアラの第１の複数のＰＤＣＰ ＳＤＵを暗号化し、第１の複数の暗号化ＰＤＣＰ ＳＤＵを発生させ、続いて、第１の複数のＰＤＣＰ ＳＤＵの各々に関連している第１のセキュリティキー、第１のＴＸ＿ＨＦＮ及びＰＤＣＰ ＳＮを用いることにより、この第１の複数の暗号化ＰＤＣＰ ＳＤＵをＭｅＮＢに送信するようにしうる。ＵＥは、第１の複数のＰＤＣＰ ＳＤＵの各々を暗号化する前に、第１のＮｅｘｔ＿ＰＤＣＰ＿ＴＸ＿ＳＮに応じて、第１の複数のＰＤＣＰ ＳＤＵの各々に関連するＰＤＣＰ ＳＮを設定する。ステップＳ７０５においては、ＵＥが、第２のセキュリティキー（w/key2）を用い、且つ第２のＰＤＣＰ ＳＤＵに関連する第２のＴＸ＿ＨＦＮ及び第２のＰＤＣＰ ＳＮを用いることにより、第２のＰＤＣＰ ＳＤＵを暗号化して、第２の暗号化ＰＤＣＰ ＳＤＵを発生させ、続いて、この第２の暗号化ＰＤＣＰ ＳＤＵを、第１のＭＣＧベアラを介してＳｅＮＢに送信する。ＳＥは、第２のＮｅｘｔ＿ＰＤＣＰ＿ＴＸ＿ＳＮに応じて、第２のＰＤＣＰ ＳＮを設定する。第２のセキュリティキーはＳｅＮＢ及びＵＥにより用いてこれらが互いに通信するようにする。ＵＥは、第１のＳＣＧベアラの第２の複数のＰＤＣＰ ＳＤＵを暗号化して第２の複数の暗号化ＰＤＣＰ ＳＤＵを発生させ、これに続いて、第１の複数のＰＤＣＰ ＳＤＵの各々に関連する第２のセキュリティキー、第２のＴＸ＿ＨＦＮ及びＰＤＣＰ ＳＮを用いることにより、この第２の複数の暗号化ＰＤＣＰ ＳＤＵをＳｅＮＢに送信するようにしうる。ＵＥは、第２のＮｅｘｔ＿ＰＤＣＰ＿ＴＸ＿ＳＮに応じて、第２の複数のＰＤＣＰ ＳＤＵの各々に関連するＰＤＣＰ ＳＮを設定する。
【００４６】
ステップＳ７０６〜Ｓ７０９は、第１のＳＣＧベアラを第２のＭＣＧベアラ又はスプリットベアラへ変化させることを含む。ステップＳ７０６においては、ＭｅＮＢによりＵＥに対し第１のＳＣＧベアラを、第２のＭＣＧベアラ又はスプリットベアラとなるように再設定する決定を行い、ＭｅＮＢがメッセージをＳｅＮＢに送信して第１のＳＣＧベアラを解除しうるようにすることができる。ステップＳ７０７においては、ＭｅＮＢが、第１のＳＣＧベアラを第２のＭＣＧベアラ又はスプリットベアラとなるように再設定する必要な情報を含む第３のＲＲＣメッセージをＵＥに送信する。このステップＳ７０７は、第３のＰＤＣＰ ＳＤＵに関連する第２のセキュリティキー、第２のＴＸ＿ＨＦＮ及び第３のＰＤＣＰ ＳＮ により暗号化された第３のＰＤＣＰ ＳＤＵを、ステップＳ７０８に示すようにＵＥからＳｅＮＢに送信するのを不成功にするおそれがある。その理由は、第１のＳＣＧベアラを第２のＭＣＧベアラ又はスプリットベアラとなるように再設定する際に、暗号化された第３のＰＤＣＰ ＳＤＵが成功裏に送信される前に、第１のＳＣＧベアラの何れのＰＤＣＰ ＳＤＵをもＳｅＮＢに送信されるのをＵＥが停止させるためである。従って、ステップＳ７０９において、第１のＳＣＧベアラを第３のＲＲＣメッセージに応じて第２のＭＣＧベアラ又はスプリットベアラとなるように再設定した後に、ＵＥが第４のＰＤＣＰ ＳＤＵに関連する第１のセキュリティキー、第２のＴＸ＿ＨＦＮ及び第４のＰＤＣＰ ＳＮを用いることにより第２のＭＣＧベアラ又はスプリットベアラの第４のＰＤＣＰ ＳＤＵを暗号化し、その後にこの暗号化された第４のＰＤＣＰ ＳＤＵをＭｅＮＢに送信するようにする。ＵＥは、第２のＮｅｘｔ＿ＰＤＣＰ＿ＴＸ＿ＳＮに応じて第４のＰＤＣＰ ＳＮを設定する。換言すれば、ＵＥが第２のＭＣＧベアラ又はスプリットベアラに対し第２のＴＸ＿ＨＦＮと第１のＳＣＧベアラの第２のＮｅｘｔ＿ＰＤＣＰ＿ＴＸ＿ＳＮとを使用し続ける。従って、ＭｅＮＢはそのＲＸ＿ＨＦＮと、第２のＭＣＧベアラ又はスプリットベアラのＮｅｘｔ＿ＰＤＣＰ＿ＴＸ＿ＳＮとを、第１のＳＣＧベアラのＲＸ＿ＨＦＮ及びＮｅｘｔ＿ＲＸ＿ＰＤＣＰ＿ＳＮにそれぞれ設定する。ＭｅＮＢは、暗号化された第４のＰＤＣＰ ＳＤＵを受信するために、ＳｅＮＢから、第１のＳＣＧベアラのＲＸ＿ＨＦＮ及びＮｅｘｔ＿ＲＸ＿ＰＤＣＰ＿ＳＮを受信することができる。或いはまた、ＵＥは、ステップＳ７０７に応答して第２のＭＣＧベアラ又はスプリットベアラに対しＵＥにより初期値（例えば、０）に設定された第３のＴＸ＿ＨＦＮ及び第３のＮｅｘｔ＿ＴＸ＿ＰＤＣＰ＿ＳＮを用いる。この場合ステップＳ７０９において、ＵＥが第１のセキュリティキーと、第３のＴＸ＿ＨＦＮと、第４のＰＤＣＰ ＳＮとを用いることにより第４のＰＤＣＰ ＳＤＵを暗号化し、その後にこの暗号化された第４のＰＤＣＰ ＳＤＵをＭｅＮＢに送信するようにする。ＵＥは、暗号化前に、第３のＮｅｘｔ＿ＰＤＣＰ＿ＴＸ＿ＳＮに応じて第４のＰＤＣＰ ＳＮを設定する。従って、ＭｅＮＢは、ＲＸ＿ＨＦＮと、第２のＭＣＧベアラ又はスプリットベアラのＮｅｘｔ＿ＲＸ＿ＰＤＣＰ＿ＳＮとを初期値（例えば、０）に設定する。第１��ＳＣＧベアラを第２のＭＣＧベアラ又はスプリットベアラに変えるのに、ＳｅＮＢの解除を含めても含めなくてもよい。
【００４７】
ステップＳ７０８の前に又はその後に、ＵＥが、第３のＰＤＣＰ ＳＤＵに関連するとともにＳｅＮＢと通信するのに用いられた第１のセキュリティキー、第２のＴＸ＿ＨＦＮ及び第３のＰＤＣＰ ＳＮを用いて暗号化することによりこの第３のＰＤＣＰ ＳＤＵを再送信し、第５の暗号化ＰＤＣＰ ＳＤＵを発生させることを試みることができる。このようにすることにより、第１の代表的な実施例が、ＳＣＧベアラの変化に対処するシグナリング機構と、データが失われないようにする再送信機構とを提供する。或いはまた、ＵＥは、第１のセキュリティキーと、第３のＴＸ＿ＨＦＮと、第５のＰＤＣＰ ＳＮとを用いて暗号化することにより、第３のＰＤＣＰ ＳＤＵを再送信する試みを行うようにすることができる。ＵＥは、暗号化の前に、第３のＮｅｘｔ＿ＰＤＣＰ＿ＴＸ＿ＳＮに応じて、第５のＰＤＣＰ ＳＮを設定する。ＵＥが第３のＰＤＣＰ ＳＤＵの再送信をサポートしていないか、或いは、第３のＰＤＣＰ ＳＤＵが実時間データである為に、ＭｅＮＢがこの第３のＰＤＣＰ ＳＤＵを受信するのが遅れるおそれがある為、ＵＥが第３のＰＤＣＰ ＳＤＵを再送信することを試みることはできない場合があることに注意すべきである。
【００４８】
上述したベアラコンフィギュレーションにより使用される可能なパラメータはＴＳ36.300の仕様書に開示されている。この仕様書は参考のために導入したものである。
【００４９】
図８は、本発明の第２の代表的な実施例を示す。この第２の代表的な実施例は、ＭＣＧベアラ又はスプリットベアラからＳＣＧベアラへの変化に対するＵＥ側の応答に向けられたものである。図８のシナリオも、図１により表すことができる。ステップＳ８０１では、ＵＥが第１のＭＣＧベアラを確立するのに必要な情報を含む第１のＲＲＣメッセージをＭｅＮＢにより送信しうる。ステップＳ８０２では、ＵＥが第２のＭＣＧベアラ又はスプリットベアラを確立するのに必要な情報を含む第２のＲＲＣメッセージをＳｅＮＢが送信しうる。ステップＳ８０３では、ＳｅＮＢ及びＵＥ間で通信するための第１のＳＣＧコンフィギュレーションを含む第１のコンフィギュレーションメッセージをＳｅＮＢにより送信しうる。ステップＳ８０４では、第１のコンフィギュレーションメッセージを受信するのに応答して、ＵＥが第１のＳＣＧベアラを確立するのに必要な情報を含む第３のＲＲＣメッセージをＭｅＮＢにより送信しうる。
【００５０】
第１のＭＣＧベアラと、第２のＭＣＧベアラ又はスプリットベアラと、第１のＳＣＧベアラとが確立された後に、ステップＳ８０５において、ＵＥが第１のＰＤＣＰ ＳＤＵに関連する第１のセキュリティキー、第１のＴＸ＿ＨＦＮ及び第１のＰＤＣＰ ＳＮを用いることにより、第１のＰＤＣＰ ＳＤＵを暗号化して、暗号化された第１の第１のＰＤＣＰ ＳＤＵを発生させ、その後この暗号化された第１の第１のＰＤＣＰ ＳＤＵが第１のＭＣＧベアラを介してＭｅＮＢに送信されるようにしうる。第１のセキュリティキーはＵＥとＭｅＮＢとの間の通信のために用いられる。ＵＥは、第１のＮｅｘｔ＿ＰＤＣＰ＿ＴＸ＿ＳＮに応じて第１のＰＤＣＰ ＳＮを設定する。ステップＳ８０６では、ＵＥが第２のＰＤＣＰ ＳＤＵに関連する第１のセキュリティキー、第２のＴＸ＿ＨＦＮ及び第２のＰＤＣＰ ＳＮを用いることにより第２のＭＣＧベアラ又はスプリットベアラの第２のＰＤＣＰ ＳＤＵを暗号化し、その後にこの暗号化された第２のＰＤＣＰ ＳＤＵをＭｅＮＢに送信するようにしうる。ＵＥは、暗号化の前に、第２のＮｅｘｔ＿ＰＤＣＰ＿ＴＸ＿ＳＮに応じて第２のＰＤＣＰ ＳＮを設定する。ステップＳ８０７においては、ＵＥが第３のＰＤＣＰ ＳＤＵに関連する第２のセキュリティキー、第３のＴＸ＿ＨＦＮ及び第３のＰＤＣＰ ＳＮを用いることにより第３のＰＤＣＰ ＳＤＵを暗号化して、暗号化された第３のＰＤＣＰ ＳＤＵを発生させ、続いてこの第３のＰＤＣＰ ＳＤＵを、第１のＭＣＧベアラを介してＳｅＮＢに送信するようにしうる。ＵＥは、暗号化の前に、第３のＮｅｘｔ＿ＰＤＣＰ＿ＴＸ＿ＳＮに応じて第３のＰＤＣＰ ＳＮを設定する。
【００５１】
ステップＳ８０８〜Ｓ８１１は、第２のＳＣＧベアラへの第２のＭＣＧベアラ又はスプリットベアラの変化を含む。ステップＳ８０８においては、ＭｅＮＢが、ＵＥに対し第２のＳＣＧベアラの追加を要求するメッセージを送信することにより第２のＭＣＧベアラ又はスプリットベアラを第２のＳＣＧベアラとなるように再設定する決定を行なうようにしうる。ステップＳ８０９においては、ＭｅＮＢにより、ＵＥが第２のＭＣＧベアラ又はスプリットベアラを第２のＳＣＧベアラとなるように再設定する必要な情報を含む第４のＲＲＣメッセージをＵＥに送信する。ステップＳ８１０では、第２のＭＣＧベアラ又はスプリットベアラのリコンフィギュレーション中、ＵＥが、第４のＰＤＣＰ ＳＤＵに関連する第１のセキュリティキー、第２のＴＸ＿ＨＦＮ及び第４のＰＤＣＰ ＳＮを用いることにより第２のＭＣＧベアラ又はスプリットベアラの第４のＰＤＣＰ ＳＤＵを暗号化することができるが、暗号化された第４のＰＤＣＰ ＳＤＵはＭｅＮＢに首尾良く送信されない。ステップＳ８１１においては、第２のＭＣＧベアラ又はスプリットベアラが第２のＳＣＧベアラに再設定された後に、ＵＥが第５のＰＤＣＰ ＳＤＵに関連する第２のセキュリティキー、第２のＴＸ＿ＨＦＮ及び第５のＰＤＣＰ ＳＮを用いることにより第５のＰＤＣＰ ＳＤＵを暗号化して、暗号化された第５のＰＤＣＰ ＳＤＵを発生させるようにすることができる。ＵＥは、暗号化の前に、第２のＮｅｘｔ＿ＰＤＣＰ＿ＴＸ＿ＳＮに応じて第５のＰＤＣＰ ＳＮを設定する。換言すれば、ＵＥが第２のＳＣＧベアラに対し第２のＴＸ＿ＨＦＮと、第２のＳＣＧベアラ又はスプリットベアラの第２のＮｅｘｔ＿ＰＤＣＰ＿ＴＸ＿ＳＮとを使用し続ける。この場合、暗号化された第５のＰＤＣＰ ＳＤＵを、ＳＣＧベアラを介してＳｅＮＢに送信する。従って、ＳｅＮＢはそのＲＸ＿ＨＦＮと、第２のＳＣＧベアラのＮｅｘｔ＿ＲＸ＿ＰＤＣＰ＿ＳＮとを、第２のＳＣＧベアラ又はスプリットベアラのＲＸ＿ＨＦＮ及びＮｅｘｔ＿ＲＸ＿ＰＤＣＰ＿ＳＮにそれぞれ設定する。ＳｅＮＢは、第２のＭＣＧベアラ又はスプリットベアラのＲＸ＿ＨＦＮ及びＮｅｘｔ＿ＲＸ＿ＰＤＣＰ＿ＳＮをＭｅＮＢから受信することができる。或いはまた、ＵＥは、第２のＳＣＧベアラに対し初期値（例えば、０）に設定される第４のＴＸ＿ＨＦＮ及び第４のＮｅｘｔ＿ＲＸ＿ＰＤＣＰ＿ＳＮを使用する。ステップＳ８１１においては、第２のＭＣＧベアラ又はスプリットベアラが第２のＳＣＧベアラに再設定された後に、ＵＥが、第５のＰＤＣＰ ＳＤＵに関連する第２のセキュリティキー、第４のＴＸ＿ＨＦＮ及び第５のＰＤＣＰ ＳＮを用いることにより、第５のＰＤＣＰ ＳＤＵを暗号化して、暗号化された第５のＰＤＣＰ ＳＤＵを送信するようにしうる。ＵＥは、暗号化の前に、第４のＮｅｘｔ＿ＰＤＣＰ＿ＴＸ＿ＳＮに応じて第５のＰＤＣＰ ＳＮを設定する。従って、ＳｅＮＢは第２のＳＣＧベアラのＲＸ＿ＨＦＮ及びＮｅｘｔ＿ＲＸ＿ＰＤＣＰ＿ＳＮを初期値（例えば、０）に設定する。
【００５２】
ステップＳ８１１の前に又はその後に、ＵＥが、第４のＰＤＣＰ ＳＤＵに関連しＭｅＮＢと通信するのに用いられた第２のセキュリティキー、第２のＴＸ＿ＨＦＮ及び第４のＰＤＣＰ ＳＮを用いて暗号化し、暗号化された第４のＰＤＣＰ ＳＤＵを発生させることにより、以前に送信が不成功となった第４のＰＤＣＰ ＳＤＵを再送信することを試みることができる。このようにすることにより、上述した第２の代表的な実施例が、ＳＣＧベアラへのＭＣＧ／スプリッタベアラの変化に対処するシグナリング機構と、データが失われないようにする再送信機構とを提供するものである。或いはまた、ＵＥは、第２のセキュリティキーと、第４のＴＸ＿ＨＦＮと、第６のＰＤＣＰ ＳＮとを用いて暗号化することにより、第４のＰＤＣＰ ＳＤＵを再送信する試みを行うようにしうる。ＵＥは、暗号化前に、第４のＮｅｘｔ＿ＰＤＣＰ＿ＴＸ＿ＳＮに応じて第６のＰＤＣＰ ＳＮを設定する。ＵＥが第４のＰＤＣＰ ＳＤＵの再送信をサポートしていないか、又は第４のＰＤＣＰ ＳＤＵが実時間データである理由でＭｅＮＢがこの第４のＰＤＣＰ ＳＤＵを受信するのが遅れるおそれがある為に、ＵＥは第３のＰＤＣＰ ＳＤＵを再送信することを試みることはできない場合があることに注意すべきである。
【００５３】
図９Ａは、ＳｅＮＢの変化の結果としてＳＣＧベアラを変える、本発明の第３の代表的な実施例によるシナリオを示している。この図９Ａの代表的な通信システムは、少なくとも、ＭｅＮＢ９５１と、Ｓ‐ＳｅＮＢ９５２と、Ｔ‐ＳｅＮＢ９５３と、ＵＥ９５４とを有しており（これらに限定されるものではない）、ＵＥ９５４はＭｅＮＢ９５１と、Ｓ‐ＳｅＮＢ９５２及びＴ‐ＳｅＮＢ９５３の１つとに同時に接続することを試みるものである。この第３の代表的な実施例が有するＵＥ９５４は、ＭｅＮＢ９５１へのその接続を保った状態でＳ‐ＳｅＮＢ９５２からＴ‐ＳｅＮＢ９５３へのその接続を変えるものである。
【００５４】
図９Ｂは、本発明の第３の代表的な実施例のシグナリング線図を示しており、この第３の代表的な実施例は、サービングＳｅＮＢの変化に応答して第１のＳＣＧベアラから第２のＳＣＧベアラへの変化に向けられたものである。ステップＳ９０１では、ＭｅＮＢが、ＵＥに対し第１のＳＣＧを確立するためのＳｅＮＢを加えることを要求する第１のＳＣＧ付加要求メッセージ（Add Req）をＳ‐ＳｅＮＢに送信しうる。この第１のＳＣＧ付加要求メッセージは、Ｓ‐ＳｅＮＢのセルの無線リソースをＵＥと通信するように割当てることをＳ‐ＳｅＮＢに要求する。ステップＳ９０２では、第１のＳＣＧ付加要求メッセージを受信するのに応答し、Ｓ‐ＳｅＮＢがＵＥに対し第１のＳＣＧベアラを設定するための第１のＳＣＧコンフィギュレーションを発生する。続いて、Ｓ‐ＳｅＮＢが、第１のＳＣＧを設定するための第１のＳＣＧコンフィギュレーションを含む第１のＳＣＧ付加応答メッセージ（Add Res）をＭｅＮＢに送信する。ステップＳ９０３では、ＭｅＮＢが第１のＳＣＧ付加応答メッセージを受信するのに応答して第１のＳＣＧコンフィギュレーションを含む第１のＲＲＣメッセージをＵＥに送信し、ＵＥが第１のＳＣＧベアラを確立するようにする。
【００５５】
ＳＣＧベアラが確立された後に、Ｓ‐ＳｅＮＢからＴ‐ＳｅＮＢへのＳＣＧの変化、すなわちＳｅＮＢの変化をステップＳ９０４〜Ｓ９０７が有する。ステップＳ９０４では、ＭｅＮＢが、ＳｅＮＢの変化を実行することを決定し、これに続いてＵＥに対するサービングＳｅＮＢとしてＴ‐ＳｅＮＢを追加する要求を行う第２のＳＣＧ付加要求メッセージをＴ‐ＳｅＮＢに送信することによりＳｅＮＢの変化を開始する。Ｔ‐ＳｅＮＢが第２のＳＣＧベアラを確立するためのＳＣＧコンフィギュレーションを提供するためには、ＭｅＮＢは、Ｓ‐ＳｅＮＢから第１のＳＣＧコンフィギュレーションを受信した際に第１のＳＣＧコンフィギュレーションを記憶する必要がある。ステップＳ９０４では、ＭｅＮＢが、第１のＳＣＧコンフィギュレーションを含む第２のＳＣＧ付加要求メッセージをＴ‐ＳｅＮＢに送信する。ステップＳ９０５では、Ｔ‐ＳｅＮＢが、第２のＳＣＧ付加要求メッセージの受信に応答して、第１のＳＣＧコンフィギュレーションに基づく第２のＳＣＧコンフィギュレーションを有する第２のＳＣＧ付加応答メッセージをＭｅＮＢに送信する。続いてＭｅＮＢが、ステップＳ９０６において、Ｓ‐ＳｅＮＢを有効に解除する第１のＳＣＧ解除要求メッセージ（Rel Req）をＳ‐ＳｅＮＢに送信する。ステップＳ９０７において、ＭｅＮＢが、第２のＳＣＧ付加応答メッセージの受信に応答して、ＳＣＧベアラを確立するための第２のＳＣＧコンフィギュレーションを含む第２のＲＲＣメッセージをＵＥに送信する。
【００５６】
第２のＳＣＧコンフィギュレーションは、この第２のＳＣＧコンフィギュレーションが第１のＳＣＧコンフィギュレーションとは異なる情報のみを有するようにすることにより第１のＳＣＧコンフィギュレーションに基づいて発生させることができることに留意されたい。例えば、第１のＳＣＧコンフィギュレーションが、｛コンフィギュレーション１、コンフィギュレーション２及びコンフィギュレーション３｝を有する場合、第２のＳＣＧコンフィギュレーションは｛コンフィギュレーション２′｝を有する。その理由は、Ｔ‐ＳｅＮＢが、Ｓ‐ＳｅＮＢと同じコンフィギュレーション１及びコンフィギュレーション３を適用することを試みることができるが、コンフィギュレーション２をコンフィギュレーション２′に変える為である。例えば、コンフィギュレーション１をＤＲＢ識別子とし、コンフィギュレーション３をＥＰＳベアラ識別子とすることができる。コンフィギュレーション２は、媒体アクセス制御（ＭＡＣ）に関連するコンフィギュレーションとすることができる。上述したコンフィギュレーションの説明や、第１のＳＣＧコンフィギュレーション及び第２のＳＣＧコンフィギュレーションの可能なパラメータは、仕様書ＴＳ36.300及びＴＳ36.331に開示されている。これらの仕様書は参考のために導入したものである。
【００５７】
図１０は、ＳｅＮＢの変化の結果としてＳＣＧベアラを変えるシナリオの拡張であり、本発明の第３の実施例に類似する第４の代表的な実施例を示す。ステップＳ１００１では、Ｓ‐ＳｅＮＢが第１のＳＣＧコンフィギュレーションメッセージ（Config）をＭｅＮＢに送信する。ステップＳ１００２では、ＭｅＮＢが、第１のＳＣＧコンフィギュレーションを有する第１のＲＲＣメッセージをＵＥに送信する。ＵＥは、第１のＳＣＧコンフィギュレーションにより第１のＳＣＧベアラを確立する。ステップＳ１００３〜Ｓ１１０１１には、Ｓ‐ＳｅＮＢからＴ‐ＳｅＮＢｎへのＳＣＧの変化、すなわちＳｅＮＢの変化が含まれる。
【００５８】
ステップＳ１００３では、ＭｅＮＢによりＳｅＮＢの変化を決定することができ、従って、Ｔ‐ＳｅＮＢをＵＥに対するサービングＳｅＮＢとして追加することを要求するＳＣＧ付加要求メッセージをＴ‐ＳｅＮＢに送信することができる。ステップＳ１００４では、Ｔ‐ＳｅＮＢが、このＳＣＧ付加要求メッセージの受信に応答して、Ｔ‐ＳｅＮＢ及びＵＥ間に第２のＳＣＧベアラを確立するための第２のＳＣＧコンフィギュレーションを含むＳＣＧ付加応答メッセージを送信する。ＭｅＮＢは、ステップＳ１００４の事象に応答して、ＵＥに対しＳ‐ＳｅＮＢの解除を要求するＳＣＧ解除要求を、ステップＳ１００５としてＳ‐ＳｅＮＢに送信する。ステップＳ１００６では、Ｓ‐ＳｅＮＢが第１のＰＤＣＰ ＳＤＵを暗号化して第１の暗号化ＰＤＣＰ ＳＤＵとし、第１のＳＣＧベアラのこの第１の暗号化ＰＤＣＰ ＳＤＵをＵＥに送信するが、ステップＳ１００５においてＳＣＧベアラの解除が戻されることにより、第１のＰＤＣＰ ＳＤＵをＵＥが受信しないようにする。ステップＳ１００７では、Ｓ‐ＳｅＮＢが第１のＰＤＣＰ ＳＤＵをＭｅＮＢに送信する。ステップＳ１００８では、ＭｅＮＢが、Ｓ１００７における事象に応答して、第１のＰＤＣＰ ＳＤＵをＴ‐ＳｅＮＢに送信し、又ステップＳ１００９においてＭｅＮＢが第２のＳＣＧコンフィギュレーションを含む第２のＲＲＣメッセージを送信し、第１のＳＣＧベアラをＴ‐ＳｅＮＢ及びＵＥ間の通信用の第２のＳＣＧベアラとなるように再設定するようにする。ステップＳ１０１０においては、Ｔ‐ＳｅＮＢが第１のＰＤＣＰ ＳＤＵを暗号化して第２の暗号化ＰＤＣＰ ＳＤＵとし、この第２の暗号化ＰＤＣＰ ＳＤＵをＵＥに送信し、ＵＥが首尾良く送信されない第１のＰＤＣＰ ＳＤＵをＴ‐ＳｅＮＢによりＵＥに再送信するようにする。Ｓ‐ＳｅＮＢ及びＴ‐ＳｅＮＢは、第１のＰＤＣＰ ＳＤＵを暗号化するのに、互いに異なるセキュリティキーを用いていることに留意されたい。ステップＳ１０１１では、Ｔ‐ＳｅＮＢが第２のＳＣＧベアラの第２のＰＤＣＰ ＳＤＵを暗号化して第３の暗号化ＰＤＣＰ ＳＤＵとし、この第３の暗号化ＰＤＣＰ ＳＤＵをＵＥに送信するようにする。Ｓ‐ＳｅＮＢは種々の理由でＭｅＮＢにおいて第１のＰＤＣＰ ＳＤＵを再送信するためにステップＳ１００７を実行できない場合があることに留意されたい。例えば、ＵＥがＴ‐ＳｅＮＢから第１のＰＤＣＰ ＳＤＵを受信するのが遅れるおそれがある。その理由は、第１のＰＤＣＰ ＳＤＵが実時間データであるか、又はＳ‐ＳｅＮＢがＭｅＮＢへの第１のＰＤＣＰ ＳＤＵの転送をサポートしていない為である。
【００５９】
更に、Ｔ‐ＳｅＮＢがＵＥに対し第２のＳＣＧベアラを確立した後に、Ｔ‐ＳｅＮＢが第２のＳＣＧベアラのＰＤＣＰ ＳＤＵを暗号化し、セキュリティキーと、ＴＸ＿ＨＦＮと、Ｎｅｘｔ＿ＰＤＣＰ＿ＴＸ＿ＳＮとを用いて送信される暗号化されたＰＤＣＰ ＳＤＵを形成する。Ｔ‐ＳｅＮＢは、第２のＳＣＧベアラを用いる前にこれらのＴＸ＿ＨＦＮ及びＮｅｘｔ＿ＰＤＣＰ＿ＴＸ＿ＳＮを第１のＳＣＧベアラのＴＸ＿ＨＦＮ及びＮｅｘｔ＿ＰＤＣＰ＿ＴＸ＿ＳＮにそれぞれ設定することにより前者のＴＸ＿ＨＦＮ及びＮｅｘｔ＿ＰＤＣＰ＿ＴＸ＿ＳＮを初期化しうる。従って、Ｓ‐ＳｅＮＢは、ステップＳ１００５における決定に応答して、第１のＳＣＧベアラのＰＤＣＰエンティティに関連する第１のＳＣＧベアラのＴＸ＿ＨＦＮ及びＮｅｘｔ＿ＰＤＣＰ＿ＴＸ＿ＳＮを表す情報をＭｅＮＢに送信しうる。ＭｅＮＢはこの情報をＴ‐ＳｅＮＢに転送する。この場合、ＵＥがステップＳ１００９の後に、Ｔ‐ＳｅＮＢから受信した暗号化ＰＤＣＰ ＳＤＵを暗号解読するために第１のＳＣＧベアラのＲＸ＿ＨＦＮ及びＮｅｘｔ＿ＰＤＣＰ＿ＲＸ＿ＳＮを使用し続ける。或いはまた、Ｔ‐ＳｅＮＢがステップＳ１００３に応答してＴＸ＿ＨＦＮ及びＮｅｘｔ＿ＰＤＣＰ＿ＴＸ＿ＳＮを第２のＳＣＧベアラに対する初期値（例えば、０）に設定しうる。この場合、ＵＥもステップＳ１００９に応答してＲＸ＿ＨＦＮ及びＮｅｘｔ＿ＰＤＣＰ＿ＲＸ＿ＳＮを第２のＳＣＧベアラに対する初期値（例えば、０）に初期化する。
【００６０】
第１のＰＤＣＰ ＳＤＵが第１の群のＰＤＣＰ ＳＤＵであるものとした場合、これらの第１の群のＰＤＣＰ ＳＤＵに関連しているＰＤＣＰ ＳＮを、それぞれ個別のＰＤＣＰ ＳＮとすることができ、或いはこれらの第１の群のＰＤＣＰ ＳＤＵの開始のＰＤＣＰ ＳＮから取出すことができる。換言すれば、開始のＰＤＣＰ ＳＮは、首尾良く送信されなかったＰＤＣＰ ＳＤＵの最低のＰＤＣＰ ＳＮとすることができる。第１の群のＰＤＣＰ ＳＤＵに関連するＰＤＣＰ ＳＮはビットマップ又はその他の形式のものから取出すこともできる。一般的な第３の代表的な実施例及び第４の代表的な実施例によれば、Ｔ‐ＳｅＮＢが複数のＰＤＣＰ ＳＤＵをＵＥに送信又は再送信して、ＳＣＧの変化の結果としてのＰＤＣＰ ＳＤＵの損失を回避するようにしうる。
【００６１】
第４の代表的な実施例には更に、第１のＳＣＧベアラに関連するが、ＳＣＧ解除要求メッセージに応答してＭｅＮＢにより受信されないＰＤＣＰ ＳＤＵに関連しているＭｅＮＢ ＲＸ＿ＨＦＮ及びＰＤＣＰ ＳＮにＳ‐ＳｅＮＢを送信することを含めることができる。ＭｅＮＢはＲＸ＿ＨＦＮ及びＰＤＣＰ ＳＮを受信するのに応答してこれらをＴ‐ＳｅＮＢに送信することができる。Ｔ‐ＳｅＮＢは、ＰＤＣＰ ＳＤＵがこの又はこれらのＰＤＣＰ ＳＤＵのＰＤＣＰ ＳＮに応じて受信されなかったことを表す情報を必要に応じＵＥに送信することができる。ＵＥはその後、ＰＤＣＰ ＳＤＵを送信又は再送信し、Ｔ‐ＳｅＮＢにより知られたセキュリティキーを用いてＰＤＣＰ ＳＤＵを暗号化して暗号化されたＰＤＣＰ ＳＤＵにし、この暗号化されたＰＤＣＰ ＳＤＵをＳ‐ＳｅＮＢに送信又は再送信することによるＳＣＧの変化の結果としてＰＤＣＰ ＳＤＵの損失を回避するようにしうる。Ｔ‐ＳｅＮＢにより知られたセキュリティキーは、ＵＥ及びＳ‐ＳｅＮＢ間の通信に用いられた他のセキュリティキーと異ならせる。
【００６２】
図１１は、ＭＣＧベアラを複数の現存する無線ベアラの中のＭＣＧベアラ又はスプリットベアラに変えることを含むシナリオに向けた第５の代表的な実施例を示す。この第５の代表的な実施例のシナリオは図１により表すことができる。ステップＳ１１０１では、ＭｅＮＢが、第１のＭＣＧベアラを確立するために第１のＭＣＧコンフィギュレーションを有する第１のＲＲＣメッセージをＵＥに送信する。ＭｅＮＢとＵＥとの間の通信のためにデータを暗号化及び暗号解読するのに第１のセキュリティキーを用いる。ステップＳ１１０２では、ＭｅＮＢが第１のＳＣＧコンフィギュレーション及び第２のＳＣＧコンフィギュレーションを有するコンフィギュレーションメッセージをＳｅＮＢから受信する。第１のＳＣＧコンフィギュレーション及び第２のＳＣＧコンフィギュレーションは、ＵＥ及びＳｅＮＢ間で第１のＳＣＧベアラ及び第２のＳＣＧベアラをそれぞれ確立するためのものである。ＵＥ及びＳｅＮＢ間での通信に対しデータを暗号化及び暗号解読するには、第２のセキュリティキーを用いる。ステップＳ１１０３では、ＭｅＮＢが、ＳｅＮＢからコンフィギュレーションメッセージを受信するのに応答して、第１のＳＣＧコンフィギュレーション及び第２のＳＣＧコンフィギュレーションを含む第２のＲＲＣメッセージをＵＥに送信する。第１のＳＣＧベアラ、第２のＳＣＧベアラ及び第１のＭＣＧベアラが確立されているものとすると、ステップＳ１１０４〜１１０８にはＳＣＧベアラへの変化が含まれる。
【００６３】
ステップＳ１１０４においては、ＭｅＮＢが第１のＳＣＧベアラを第２のＭＣＧベアラ又はスプリットベアラとなるように設定することを決定し、ＳＣＧ変更要求メッセージ（Mod Req）をＳｅＮＢに送信し、これにより第１のＳＣＧベアラを解除するようにする。ステップＳ１１０５では、ＳｅＮＢが第２のキーにより第１のＰＤＣＰ ＳＤＵを暗号化して第１の暗号化ＰＤＣＰ ＳＤＵとし、この第１の暗号化ＰＤＣＰ ＳＤＵを、第１のＳＣＧベアラを介してＵＥに送信する。しかし、ステップＳ１１０４における決定が戻されると、第１の暗号化ＰＤＣＰ ＳＤＵがＵＥにより成功裏に受信されなくなるようにする。ステップＳ１１０６では、ＭｅＮＢが、ステップＳ１１０４に応答して、第１のＳＣＧベアラを第２のＭＣＧベアラ又はスプリットベアラとするように再設定する必要情報を含む第３のＲＲＣメッセージをＵＥに送信しうる。ステップＳ１１０７では、ＳｅＮＢが第１のＰＤＣＰ ＳＤＵをＭｅＮＢに送信する。ステップＳ１１０８では、ＭｅＮＢが、第１のＰＤＣＰ ＳＤＵの受信に応答して、第１のセキュリティキーを用いることにより、第１のＰＤＣＰ ＳＤＵを暗号化して第２の暗号化ＰＤＣＰ ＳＤＵとし、この第２の暗号化ＰＤＣＰ ＳＤＵをＵＥに送信する。第１のセキュリティキーは、ＭｅＮＢとＵＥとの間の通信に対して用いられる。ステップＳ１１０９においては、ＭｅＮＢが第１のセキュリティキーにより、第１のＭＣＧベアラの第３のＰＤＣＰ ＳＤＵを暗号化して第３の暗号化ＰＤＣＰ ＳＤＵにするとともに第２のＭＣＧベアラ又はスプリットベアラの第４のＰＤＣＰ ＳＤＵを暗号化して第４の暗号化ＰＤＣＰ ＳＤＵにし、且つ第３及び第４のＰＤＣＰ ＳＤＵをそれぞれ第１のＭＣＧベアラ及び第２のＭＣＧベアラを介してＵＥに送信する。ＳｅＮＢは、種々の理由で、ＭｅＮＢにおける第１のＰＤＣＰ ＳＤＵの再送信に対しては、ステップＳ１１０７を実行しない場合がある。例えば、第１のＰＤＣＰ ＳＤＵが実時間データであるか、或いは、Ｓ‐ＳｅＮＢがＭｅＮＢへの第１のＰＤＣＰ ＳＤＵの転送をサポートしていない為に、ＵＥが第１のＰＤＣＰ ＳＤＵをＭｅＮＢから受信するのが遅れる場合がある。
【００６４】
更に、ＭｅＮＢがＵＥに対し第２のＭＣＧベアラ又はスプリットベアラを設定した後に、ＭｅＮＢはＰＤＣＰ ＳＤＵを、第１のセキュリティキーと、ＴＸ＿ＨＦＮと、Ｎｅｘｔ＿ＰＤＣＰ＿ＴＸ＿ＳＮとを用いて第２のＭＣＧベアラ又はスプリットベアラを介して送信される暗号化されたＰＤＣＰ ＳＤＵに暗号化する。ＭｅＮＢは、暗号化の前に、これらのＴＸ＿ＨＦＮ及びＮｅｘｔ＿ＰＤＣＰ＿ＴＸ＿ＳＮを第１のＳＣＧベアラのＴＸ＿ＨＦＮ及びＮｅｘｔ＿ＰＤＣＰ＿ＴＸ＿ＳＮに設定することにより、前者のＴＸ＿ＨＦＮ及びＮｅｘｔ＿ＰＤＣＰ＿ＴＸ＿ＳＮを初期化しうる。従って、ＳｅＮＢはステップＳ１１０４における決定に応答して、第１のＳＣＧベアラのＴＸ＿ＨＦＮ及びＮｅｘｔ＿ＰＤＣＰ＿ＴＸ＿ＳＮを表す情報をＭｅＮＢに送信しうる。ＭｅＮＢはこの情報によりＴＸ＿ＨＦＮ及びＮｅｘｔ＿ＰＤＣＰ＿ＴＸ＿ＳＮを設定する。この場合、ＵＥは、ステップＳ１１０６の後に第２のＭＣＧベアラ又はスプリットベアラを介して受信した暗号化ＰＤＣＰ ＳＤＵを暗号解読するために、第２のＭＣＧベアラ又はスプリットベアラのＲＸ＿ＨＦＮ及びＮｅｘｔ＿ＰＤＣＰ＿ＲＸ＿ＳＮをそれぞれ第１のＳＣＧベアラのＲＸ＿ＨＦＮ及びＮｅｘｔ＿ＰＤＣＰ＿ＲＸ＿ＳＮに設定する。或いはまた、ＭｅＮＢはステップＳ１１０６に応答してＴＸ＿ＨＦＮ及びＮｅｘｔ＿ＰＤＣＰ＿ＴＸ＿ＳＮを第２のＭＣＧベアラ又はスプリットベアラに対する初期値（例えば、０）に初期化しうる。この場合、ＵＥもステップＳ１１０６に応答してＲＸ＿ＨＦＮ及びＮｅｘｔ＿ＰＤＣＰ＿ＲＸ＿ＳＮを第２のＭＣＧベアラ又はスプリットベアラに対する初期値（例えば、０）に初期化する。
【００６５】
第１のＰＤＣＰ ＳＤＵが第１の群のＰＤＣＰ ＳＤＵであるものとし、この第１の群のＰＤＣＰ ＳＤＵのうちの幾つかがステップＳ１１０５で首尾良く戻されない場合、第１の群のＰＤＣＰ ＳＤＵに関連するＰＤＣＰ ＳＮをそれぞれ個別のＰＤＣＰ ＳＮとすることができ、又はこれらのＰＤＣＰ ＳＮのうちの開始のＰＤＣＰ ＳＮから取出すことができる。換言すれば、開始のＰＤＣＰ ＳＮは、首尾良く送信されなかったＰＤＣＰ ＳＤＵの最低のＰＤＣＰ ＳＮとすることができる。第１の群のＰＤＣＰ ＳＤＵに関連するＰＤＣＰ ＳＮは、ビットマップ又はその他の形式のものから取出すこともできる。或いはまた、初期値（例えば、０）に初期化されたＮｅｘｔ＿ＰＤＣＰ＿ＴＸ＿ＳＮに応じて第１の群のＰＤＣＰ ＳＤＵに関連するＰＤＣＰ ＳＮを設定しうる。この場合、ＳｅＮＢがＰＤＣＰ ＳＮの情報を生じる必要はない。ＭｅＮＢは、第１の群のＰＤＣＰ ＳＤＵをＵＥに送信又は再送信して、ＭＣＧベアラ又はスプリットベアラへのＳＣＧベアラの変化の結果としてのＰＤＣＰ ＳＤＵの損失を回避するようにしうる。
【００６６】
第５の代表的な実施例には更に、第１のＳＣＧベアラに関連するもステップＳ１１０４のＳＣＧ変更要求メッセージに応答してＳｅＮＢにより受信されないＰＤＣＰ ＳＤＵに関連しているＭｅＮＢ ＲＸ＿ＨＦＮ及びＰＤＣＰ ＳＮにＳ‐ＳｅＮＢを送信することを含めることができる。ＭｅＮＢは、ＰＤＣＰ ＳＤＵがこのＰＤＣＰ ＳＤＵのＰＤＣＰ ＳＮに応じて受信されなかったことを表す情報をＵＥに送信しうる。これに続いて、ＵＥによりＰＤＣＰ ＳＤＵを送信又は再送信して、第１のセキュリティキーを用いてＰＤＣＰ ＳＤＵを暗号化ＰＤＣＰ ＳＤＵに暗号化することによるベアラの種類を変化させる結果としてのＰＤＣＰ ＳＤＵの損失を回避するようにしうる。
【００６７】
図１２は、ＭＣＧベアラ又はスプリットベアラを複数の現存する無線ベアラの中のＭＣＧベアラに変えることを含むシナリオに向けた第６の代表的な実施例を示す。この第６の代表的な実施例のシナリオは図１により表すことができる。ステップＳ１２０１では、ＭｅＮＢが、第１のＭＣＧベアラと、第２のＭＣＧベアラ又はスプリットベアラとを確立するための必要な情報をそれぞれ有する第１のＲＲＣメッセージ又は第１の２つのＲＲＣメッセージを送信する。ＵＥとＭｅＮＢとの間の通信のためにデータを暗号化及び暗号解読するのに第１のセキュリティキーをＵＥ及びＳｅＮＢによりそれぞれ用いる。ステップＳ１２０２では、ＳｅＮＢが第１のＳＣＧコンフィギュレーションを有するコンフィギュレーションメッセージを送信する。ＵＥ及びＳｅＮＢ間での通信に対しデータを暗号化及び暗号解読するには、第２のセキュリティキーをＵＥ及びＳｅＮＢによりそれぞれ用いる。ステップＳ１２０３では、ＭｅＮＢが、コンフィギュレーションメッセージを受信するのに応答して、第１のＳＣＧベアラを確立するのに必要な情報を有する第２のＲＲＣメッセージをＵＥに送信する。第１のＳＣＧベアラ、第１のＭＣＧベアラ及びスプリットベアラが確立された後、ステップＳ１２０４〜１２０８には、ＭＣＧベアラ又はスプリットベアラをＳＣＧベアラに変化させることを含める。
【００６８】
ステップＳ１２０４Ａでは、ＭｅＮＢにより第２のＳＣＧベアラ又はスプリットベアラを、第２のＳＣＧベアラとなるように再設定する決定を行い、ＭｅＮＢが第２のＳＣＧベアラを確立するＳＣＧ変更要求メッセージをＳｅＮＢに送信する。ステップＳ１２０４Ｂでは、ＭｅＮＢがＳｅＮＢからＳＣＧ変更応答メッセージ（Mod Res）を受信することによりステップＳ１２０４のアクノリッジメント（承認）を受信する。ステップＳ１２０５では、ＭｅＮＢが、第１のセキュリティキーを用いることにより暗号化された第１のＭＣＧベアラ又はスプリットベアラの第１のＰＤＣＰ ＳＤＵをＵＥに送信するが、第２のＭＣＧベアラ又はスプリットベアラを第２のＳＣＧベアラとなるように再設定するステップＳ１２０４Ａにおける決定が戻されると、第１のＰＤＣＰ ＳＤＵがＵＥにより成功裏に受信されなくなるようにする。ステップＳ１２０６においてＭｅＮＢは、ステップＳ１２０５に応答して、第１のＰＤＣＰ ＳＤＵをＳｅＮＢに送信する。ステップＳ１２０７では、ＭｅＮＢが、第２のＭＣＧベアラ又はスプリットベアラを第２のＳＣＧベアラとなるように再設定する必要な情報を含む第３のＲＲＣメッセージをＵＥに送信する。ステップＳ１２０８では、ＳｅＮＢが第２のセキュリティキーを用いて第１のＰＤＣＰ ＳＤＵを暗号化して、第２の暗号化ＰＤＣＰ ＳＤＵを発生させ、これに続いて、この第２の暗号化ＰＤＣＰ ＳＤＵを、第２のＳＣＧベアラを介してＵＥに送信する。ステップＳ１２０９では、ＳｅＮＢが第２のセキュリティキーを用いて第１のＳＣＧベアラの第３のＰＤＣＰ ＳＤＵを暗号化し、続いてこの第３の暗号化ＰＤＣＰ ＳＤＵをＵＥに送信し、且つ第２のセキュリティキーを用いて第２のＳＣＧベアラの第４のＰＤＣＰ ＳＤＵを暗号化し、続いてこの第４の暗号化ＰＤＣＰ ＳＤＵをＵＥに送信するようにしうる。ステップＳ１２１０では、ＭｅＮＢが第１のセキュリティキーを用いて第１のＳＣＧベアラの第４のＰＤＣＰ ＳＤＵを暗号化し、続いてこの第４のＰＤＣＰ ＳＤＵをＵＥに送信するようにしうる。ＭｅＮＢは、種々の理由でＳｅＮＢにおいて第１のＰＤＣＰ ＳＤＵを再送信するためにステップＳ１２０６を実行できない場合があることに留意されたい。例えば、ＵＥがＳｅＮＢから第１のＰＤＣＰ ＳＤＵを受信するのが遅れるおそれがある。その理由は、第１のＰＤＣＰ ＳＤＵが実時間データであるか、或いはＭｅＮＢによりＳｅＮＢへの第１のＰＤＣＰ ＳＤＵの転送をサポートしていない為である。
【００６９】
更に、ＳｅＮＢがＵＥに対する第２のＳＣＧベアラを確立した後に、ＳｅＮＢが、第２のＳＣＧベアラを介して送信されたＰＤＣＰ ＳＤＵを、第２のセキュリティキーと、ＴＸ＿ＨＦＮと、Ｎｅｘｔ＿ＰＤＣＰ＿ＴＸ＿ＳＮとを用いて暗号化する。ＳｅＮＢは、暗号化の前に、これらのＴＸ＿ＨＦＮ及びＮｅｘｔ＿ＰＤＣＰ＿ＴＸ＿ＳＮを第２のＳＣＧベアラ或いはスプリットベアラのＴＸ＿ＨＦＮ及びＮｅｘｔ＿ＰＤＣＰ＿ＴＸ＿ＳＮにそれぞれ設定することにより、前者のＴＸ＿ＨＦＮ及びＮｅｘｔ＿ＰＤＣＰ＿ＴＸ＿ＳＮを初期化しうる。従って、ＭｅＮＢは、ステップＳ１２０４Ａ或いは他のメッセージの何れかにおける第２のＳＣＧベアラ或いはスプリットベアラのＴＸ＿ＨＦＮ及びＮｅｘｔ＿ＰＤＣＰ＿ＴＸ＿ＳＮをＳｅＮＢに指示しうる。ＳｅＮＢは、第２のＳＣＧベアラに対する情報に応じてＴＸ＿ＨＦＮ及びＮｅｘｔ＿ＰＤＣＰ＿ＴＸ＿ＳＮを設定する。この場合、ＵＥは、ステップＳ１２０７の後に第２のＳＣＧベアラを介して受信された暗号化ＰＤＣＰ ＳＤＵを暗号解読するために、第２のＳＣＧベアラのＲＸ＿ＨＦＮ及びＮｅｘｔ＿ＰＤＣＰ＿ＲＸ＿ＳＮをそれぞれ第２のＭＣＧベアラ又はスプリットベアラのＲＸ＿ＨＦＮ及びＮｅｘｔ＿ＰＤＣＰ＿ＲＸ＿ＳＮに設定する。或いはまた、ＳｅＮＢはステップＳ１２０７に応答してＴＸ＿ＨＦＮ及びＮｅｘｔ＿ＰＤＣＰ＿ＴＸ＿ＳＮを第２のＳＣＧベアラに対する初期値（例えば、０）に初期化しうる。この場合、ＵＥもステップＳ１２０７に応答してＲＸ＿ＨＦＮ及びＮｅｘｔ＿ＰＤＣＰ＿ＲＸ＿ＳＮを第２のＳＣＧベアラに対する初期値（例えば、０）に初期化する。
【００７０】
第１のＰＤＣＰ ＳＤＵが第１の群のＰＤＣＰ ＳＤＵであるものとし、この第１の群のＰＤＣＰ ＳＤＵのうちの幾つかがステップＳ１２０５で首尾良く戻されない場合、第１の群のＰＤＣＰ ＳＤＵに関連するＰＤＣＰ ＳＮをそれぞれ個別のＰＤＣＰ ＳＮとすることができ、或いはこれらのＰＤＣＰ ＳＮのうちの開始のＰＤＣＰ ＳＮから取出すことができる。換言すれば、開始のＰＤＣＰ ＳＮは、首尾良く送信されなかったＰＤＣＰ ＳＤＵの最低のＰＤＣＰ ＳＮとしうる。第１の群のＰＤＣＰ ＳＤＵに関連しているＰＤＣＰ ＳＮは、ＭｅＮＢから受信したビットマップ或いはその他の形式のものから取出すこともできる。一般的な第６の代表的な実施例によれば、ＳｅＮＢが複数のＰＤＣＰ ＳＤＵをＵＥに送信又は再送信して、ＳＣＧベアラに対するＭＣＧベアラ又はスプリットベアラの変化の結果としてのＰＤＣＰ ＳＤＵの損失を回避するようにしうる。或いはまた、初期値（例えば、０）に初期化されたＮｅｘｔ＿ＰＤＣＰ＿ＴＸ＿ＳＮに応じて第１の群のＰＤＣＰ ＳＤＵに関連するＰＤＣＰ ＳＮを設定しうる。この場合、ＭｅＮＢがＰＤＣＰ ＳＮの情報を生じる必要はない。
【００７１】
第６の代表的な実施例には更に、第２のＭＣＧベアラ又はスプリットベアラに関連するが、ステップＳ１２０４ＡのＳＣＧ変更要求メッセージに応答してＭｅＮＢにより受信されなかったＰＤＣＰ ＳＤＵに関連するＳｅＮＢ ＲＸ＿ＨＦＮ及びＰＤＣＰ ＳＮに送信されるＭｅＮＢを含めることができる。ＳｅＮＢによれば、ＰＤＣＰ ＳＤＵのＰＤＣＰ ＳＮに応じて受信されなかったことを表す情報を必要に応じＵＥに送信することができる。ＵＥはその後、ＰＤＣＰ ＳＤＵを送信又は再送信し、第２のセキュリティキーを用いてＰＤＣＰ ＳＤＵを暗号化して暗号化されたＰＤＣＰ ＳＤＵにすることによるベアラの種類の変化の結果としてＰＤＣＰ ＳＤＵの損失を回避するようにしうる。
【００７２】
図１３は、第１及び第２の基地局にデュアル接続しうるユーザ機器（ＵＥ）の観点による接続変更方法を示す説明図である。この接続変更方法は、前述した第１の実施例に応じたものであり、第１の基地局と通信する第１のマスタセルグループ（ＭＣＧ）ベアラを設定する第１のベアラコンフィギュレーションをこの第１の基地局から受信するステップＳ１３０１と；この第１のベアラコンフィギュレーションに応じて第１の無線ベアラを第１のＭＣＧベアラとして設定するステップＳ１３０２と；第２の基地局と通信する第２のセルグループ（ＳＣＧ）ベアラを設定する第２のベアラコンフィギュレーションを第１の基地局から受信するステップＳ１３０３と；第２のベアラコンフィギュレーションに応じて第２の無線ベアラをＳＣＧベアラとして設定するステップＳ１３０４と；第１の暗号化パケットデータコンバーゼンスプロトコル（ＰＤＣＰ）サービスデータユニット（ＳＤＵ）を、第１の無線ベアラの第１のＰＤＣＰ ＳＤＵに関連する第１のセキュリティキー、第１の送信器ハイパーフレームナンバ（ＴＸ＿ＨＦＮ）及び第１のＰＤＣＮシーケンスナンバ（ＳＮ）を用いることによりこの第１のＰＤＣＰ ＳＤＵを暗号化することにより発生させるステップＳ１３０５と；第１の暗号化ＰＤＣＰ ＳＤＵを第１の基地局に送信するステップＳ１３０６と；第２の無線ベアラの第２のＰＤＣＰ ＳＤＵに関連する第２のセキュリティキー、第２のＴＸ＿ＨＦＮ及び第２のＰＤＣＰ ＳＮを用いることによりこの第２のＰＤＣＰ ＳＤＵを暗号化することにより、第２の暗号化ＰＤＣＰ ＳＤＵを発生させるステップＳ１３０７と；第２の暗号化ＰＤＣＰ ＳＤＵを第２の基地局に送信するステップＳ１３０８と；ＳＣＧベアラを第２のＭＣＧベアラ又はスプリットベアラの何れかとなるように再設定する第３のベアラコンフィギュレーションを有する無線リソースコントロール（ＲＲＣ）メッセージを第１の基地局から受信するステップＳ１３０９と；第３のベアラコンフィギュレーションに応じて第２の無線ベアラを、1第２のＭＣＧベアラ又はスプリットベアラの何れかとして再設定するステップＳ１３１０と；第２の無線ベアラを第２のＭＣＧベアラ又はスプリットベアラに再設定した後に、第２の無線ベアラの第３のＰＤＣＰ ＳＤＵに関連する第１のセキュリティキー、第２のＴＸ＿ＨＦＮ及び第３のＰＤＣＰ ＳＮを用いることによりこの第３のＰＤＣＰ ＳＤＵを暗号化することにより、第３の暗号化ＰＤＣＰ ＳＤＵを発生させるステップＳ１３１１と；第３の暗号化ＰＤＣＰ ＳＤＵを第１の基地局に送信するステップＳ１３１２とを具える。
【００７３】
更に、第３のＰＤＣＰ ＳＤＵは、第２の無線ベアラを第２のＳＣＧベアラとなるように再設定する前に第２の基地局に送信するのが不成功となるのに応答して又はそれのみに応答して、第２の基地局に送信すべき第２のセキュリティキー、第２のＴＸ＿ＨＦＮ及び第３のＰＤＣＰ ＳＮを用いて暗号化する。又、ＳＣＧベアラに関連するＮｅｘｔ＿ＰＤＣＰ＿ＴＸ＿ＳＮに応じて第３のＰＤＣＰ ＳＮを設定する。
【００７４】
図１４は、第１及び第２の基地局にデュアル接続しうるユーザ機器（ＵＥ）の観点による接続変更方法を示している説明図である。この接続変更方法は、前述した第２の実施例に応じたものであって、第１の基地局と通信する第１のマスタセルグループ（ＭＣＧ）ベアラを設定する第１のベアラコンフィギュレーションを、この第１の基地局から受信するステップＳ１４０１と；この第１のベアラコンフィギュレーションに応じて、第１の無線ベアラを第１のＭＣＧベアラとして設定するステップＳ１４０２と；第１の基地局と通信する第２のＭＣＧベアラ又はスプリットベアラを設定する第２のベアラコンフィギュレーションを第１の基地局から受信するステップＳ１４０３と；第２のベアラコンフィギュレーションに応じて第２の無線ベアラを第２のＭＣＧベアラ又はスプリットベアラとして設定するステップＳ１４０４と；第２の基地局と通信する第１のセカンダリセルグループ（ＳＣＧ）を設定する第３のベアラコンフィギュレーションを第１の基地局から受信するステップＳ１４０５と；第３のベアラコンフィギュレーションに応じて第３の無線ベアラを第１のＳＣＧベアラとして設定するステップＳ１４０６と；第１の暗号化パケットデータコンバーゼンスプロトコル（ＰＤＣＰ）サービスデータユニット（ＳＤＵ）を、第１の無線ベアラの第１のＰＤＣＰ ＳＤＵに関連する第１のセキュリティキー、第１の送信器ハイパーフレームナンバ（ＴＸ＿ＨＦＮ）及び第１のＰＤＣＰシーケンスナンバ（ＳＮ）を用いることによりこの第１のＰＤＣＰ ＳＤＵを暗号化することにより発生させるステップＳ１４０７と；第１の暗号化ＰＤＣＰ ＳＤＵを第１の基地局に送信するステップＳ１４０８と；第２の無線ベアラの第２のＰＤＣＰ ＳＤＵに関連する第１のセキュリティキー、第２のＴＸ＿ＨＦＮ及び第２のＰＤＣＰ ＳＮを用いることによりこの第２のＰＤＣＰ ＳＤＵを暗号化することにより第２の暗号化ＰＤＣＰ ＳＤＵを発生させるステップＳ１４０９と；第２の暗号化ＰＤＣＰ ＳＤＵを第１の基地局に送信するステップＳ１４１０と；第３の無線ベアラの第３のＰＤＣＰ ＳＤＵに関連している第２のセキュリティキー、第３のＴＸ＿ＨＦＮ及び第３のＰＤＣＰ ＳＮを用いることによりこの第３のＰＤＣＰ ＳＤＵを暗号化することにより、第３の暗号化ＰＤＣＰ ＳＤＵを発生させるステップＳ１４１１と；第３の暗号化ＰＤＣＰ ＳＤＵを第２の基地局に送信するステップＳ１４１２と；第２のＭＣＧベアラ又はスプリットベアラを第２のＳＣＧベアラとなるように再設定する第４のベアラコンフィギュレーションを有する無線リソースコントロール（ＲＲＣ）メッセージを受信するステップＳ１４１３と；第４のベアラコンフィギュレーションに応じて第２の無線ベアラを第２のＳＣＧベアラとして再設定するステップＳ１４１４と；第２の無線ベアラを第２のＳＣＧベアラに再設定した後に、第２の無線ベアラの第４のＰＤＣＰ ＳＤＵに関連する第２のセキュリティキー、第２のＴＸ＿ＨＦＮ及び第４のＰＤＣＰ ＳＮを用いることによりこの第４のＰＤＣＰ ＳＤＵを暗号化することにより第４の暗号化ＰＤＣＰ ＳＤＵを発生させるステップＳ１４１５と；第４の暗号化ＰＤＣＰ ＳＤＵを第２の基地局に送信するステップＳ１４１６とを具える。
【００７５】
更に、第４のＰＤＣＰ ＳＤＵは、第２の無線ベアラを第２のＳＣＧベアラとして再設定する前に第１の基地局に送信するのが不成功となるのに応答して又はそれのみに応答して、第１のセキュリティキー、第２のＴＸ＿ＨＦＮ及び第４のＰＤＣＰ ＳＮを用いて暗号化する。又、第２のＭＣＧベアラ又はスプリットベアラに関連するＮｅｘｔ＿ＰＤＣＰ＿ＴＸ＿ＳＮに応じて第４のＰＤＣＰ ＳＮを設定する。
【００７６】
図１５は、第１の基地局及び第２の基地局にデュアル接続しうるユーザ機器（ＵＥ）に作用する第１の基地局の観点による接続変更方法を示す説明図である。この方法は、前述した第３及び第４の実施例に応じたものであり、ＵＥに対する第１のＳＣＧコンフィギュレーションを第２の基地局から受信するステップＳ１５０１と；第１のＳＣＧベアラを確立するための第１のＳＣＧコンフィギュレーションを有する第１の無線リソースコントロール（ＲＲＣ）メッセージをＵＥに送信するステップＳ１５０２と；ＵＥに対する第２のＳＣＧベアラを確立するための第１のＳＣＧコンフィギュレーションを有する第１のＳＣＧ付加要求を第３の基地局に送信するステップＳ１５０３と；第１のＳＣＧ付加要求を送信するのに応答して第１のＳＣＧコンフィギュレーションに基づく第２のＳＣＧコンフィギュレーションを有する第１のＳＣＧ付加応答を第３の基地局から受信するステップＳ１５０４と；第１のＳＣＧベアラを解除するＳＣＧ解除要求を第２の基地局に送信するステップＳ１５０５と；第２のＳＣＧベアラを確立する第２のＳＣＧコンフィギュレーションを有する第２のＲＲＣメッセージをＵＥに送信するステップＳ１５０６とを具える。
【００７７】
更に、第１のＳＣＧコンフィギュレーションを受信するステップには、ＵＥに対する第１のＳＣＧベアラを確立するために第２のＳＣＧ付加要求を第２の基地局に送信することと、第１のＳＣＧコンフィギュレーションを有する第２のＳＣＧ付加応答を第２の基地局から受信することとを含める。第２のＳＣＧコンフィギュレーションには、第１のＳＣＧコンフィギュレーションとは異なる情報を含めることができる。又、第１のＳＣＧベアラを解除するＳＣＧ解除要求を送信した後、以前にＰＤＣＰ ＳＤＵの送信が不成功となったことに応答して又はそれのみに応答して、第１の基地局が更に第２の基地局から、第１のＳＣＧベアラのＰＤＣＰ ＳＤＵと、ＴＸ＿ＨＦＮと、ＰＤＣＰ ＳＮとを受信するようにすることができる。ＴＸ＿ＨＦＮと、ＰＤＣＰ ＳＮとはＰＤＣＰ ＳＤＵに関連しており、第１の基地局は、第２の基地局から第１のＳＣＧベアラのＰＤＣＰ ＳＤＵと、ＴＸ＿ＨＦＮと、ＰＤＣＰ ＳＮとを受信するのに応答して、第１のＳＣＧベアラのＰＤＣＰ ＳＤＵと、ＴＸ＿ＨＦＮと、ＰＤＣＰ ＳＮとを第３の基地局に送信するようにもできる。
【００７８】
更に、第１の基地局は、ＳＣＧ解除要求を送信するのに応答して又はそれのみに応答して第２の基地局により受信されない他のＰＤＣＰ ＳＤＵに関連する受信器ハイパーフレームナンバ（ＲＸ＿ＨＦＮ）及びＰＤＣＰ ＳＮを第２の基地局から受信することができ、且つ他のＰＤＣＰ ＳＤＵに関連するＲＸ＿ＨＦＮ及びＰＤＣＰ ＳＮを第３の基地局にも送信する。
【００７９】
図１６は、複数の基地局に接続されたユーザ機器（ＵＥ）に作用するこれらの複数の基地局のうちの１つの基地局の観点による接続変更方法を示す説明図である。この方法は、前述した第５の代表的な実施例に応じたものであり、通信用の第１のマスタセルグループ（ＭＣＧ）ベアラを設定する第１の無線リソースコントロール（ＲＲＣ）メッセージをＵＥに送信するステップＳ１６０１と；第１のセキュリティキーで暗号化された第１のパケットデータコンバーゼンスプロトコル（ＰＤＣＰ）サービスデータユニット（ＳＤＵ）をＵＥに送信するステップＳ１６０２と；第１のＳＣＧベアラを設定する第１のセカンダリセルグループ（ＳＣＧ）コンフィギュレーションと第２のＳＣＧベアラを設定する第２のＳＣＧコンフィギュレーションとを他の基地局から受信するステップＳ１６０３と；第１のＳＣＧコンフィギュレーションと第２のＳＣＧコンフィギュレーションとを受信するのに応答して第１のＳＣＧベアラと第２のＳＣＧベアラとを設定する少なくとも１つの第２のＲＲＣメッセージを送信するステップＳ１６０４と；第１のＳＣＧベアラを解除するメッセージを他の基地局に送信するステップＳ１６０５と；第１のＳＣＧベアラの送信器ハイパーフレームナンバ（ＴＸ＿ＨＦＮ）及びＮｅｘｔ＿ＰＤＣＰ＿ＴＸ＿ＳＮを他の基地局から受信するステップＳ１６０６と；第１のＳＣＧベアラを第２のＭＣＧベアラ又はスプリットベアラとなるように再設定する第３のＲＲＣメッセージをＵＥに送信するステップＳ１６０７と；第１のセキュリティキー、ＴＸ＿ＨＦＮ及びＮｅｘｔ＿ＰＤＣＰ＿ＴＸ＿ＳＮを用いることにより暗号化された第２のＰＤＣＰ ＳＤＵを、ＭＣＧベアラ又はスプリットベアラを介してＵＥに送信するステップＳ１６０８とを具える。
【００８０】
更に、基地局が、第１のＳＣＧベアラに関連するとともに他の基地局により受信されない第３のＰＤＣＰ ＳＤＵに関連する受信器ハイパーフレームナンバ（ＲＸ＿ＨＦＮ）及びＰＤＣＰシーケンスナンバ（ＳＮ）をメッセージの送信に応答して他の基地極から受信するようにもできる。
【００８１】
図１７は、複数の基地局に接続されたユーザ機器（ＵＥ）に作用するこれらの複数の基地局のうちの１つの基地局（例えば、ＳｅＮＢ）の観点による接続変更方法を示す説明図である。この方法は、前述した第６の代表的な実施例に応じたものであり、ＵＥに対する第１のＳＣＧベアラを設定する第１のセカンダリセルグループ（ＳＣＧ）コンフィギュレーションを他の基地局に送信するステップＳ１７０１と；ＵＥの第２のＭＣＧベアラ又はスプリットベアラと交換する第２のＳＣＧベアラを確立することを要求するメッセージを他の基地局から受信するステップＳ１７０２と；第２のＭＣＧベアラ又はスプリットベアラの送信器ハイパーフレームナンバ（ＴＸ＿ＨＦＮ）及びＮｅｘｔ＿ＰＤＣＰ＿ＴＸ＿ＳＮを他の基地局から受信するステップＳ１７０３と；第２のセキュリティキー、ＴＸ＿ＨＦＮ及びＮｅｘｔ＿ＰＤＣＰ＿ＴＸ＿ＳＮを用いてＰＤＣＰ ＳＤＵを暗号化することにより暗号化されたＰＤＣＰ ＳＤＵを発生させるステップＳ１７０４と；暗号化されたＰＤＣＰ ＳＤＵを、第２のＳＣＧベアラを介してＵＥに送信するステップＳ１７０５とを具える。
【００８２】
更に、基地局が、第２のＭＣＧベアラ又はスプリットベアラに関連するが、メッセージを受信するのに応答して他の基地局により受信されないＰＤＣＰ ＳＤＵに関連する受信器ハイパーフレームナンバ（ＲＸ＿ＨＦＮ）及びＰＤＣＰシーケンスナンバ（ＳＮ）を受信するようにもできる。
【００８３】
上述した説明を考慮するに、本発明はワイヤレス通信システムに用いるのに適しており、無線ベアラを再設定する機構、正しいセキュリティキーを用いてＰＤＣＰ ＳＤＵを暗号化／暗号解読する機構及びＳＣＧ変化の結果としてのＰＤＣＰ ＳＤＵの損失を回避するようにする機構とを提供するものである。
【００８４】
本発明の上述した実施例の詳細な説明に用いられた要素、作用又は指令は、それ自体を明確に説明しない限り本発明にとって極めて重要であるものとして又は必要不可欠なものとして考慮すべきものではない。又、当業者にとって明らかなように、本発明の精神を逸脱することなしに種々の設計上の必要性に適合するように本発明の代表的な実施例の各々におけるステップの順序を変えることができる。
【００８５】
当業者にとって明らかなように、本発明の範囲又は精神を逸脱することなしに、本発明の実施例の構造に種々の変形及び変更を行いうるものである。上述した点で、本発明の特許請求の範囲及びこれらの等価範囲内に入る限り、本発明はその変形及び変更を対象とするものである。
【００８６】
更に、本発明の特許請求の範囲は、限定されるものとして記載されていない限り、記載順序又は記載要素に限定されるものではない。
【図２Ｂ】
2015177548.tif 000003
【図２Ｃ】
2015177548.tif 000004
【図９Ｂ】
2015177548.tif 000005
【図１０】
2015177548.tif 000006
【図１１】
2015177548.tif 000007
【図１２】
2015177548.tif 000008
【図１３】
2015177548.tif 000009
【図１４】
2015177548.tif 000010
【図１５】
2015177548.tif 000011
【図１６】
2015177548.tif 000012
【図１７】
2015177548.tif 000013
【図１】
2015177548.tif 000014
【図２Ａ】
2015177548.tif 000015
【図３】
2015177548.tif 000016
【図４】
2015177548.tif 000017
【図５】
2015177548.tif 000018
【図６】
2015177548.tif 000019
【図７】
2015177548.tif 000020
【図８】
2015177548.tif 000021
【図９Ａ】
2015177548.tif 000022
【外国語明細書】
2015177548000001.pdf